(57)【要約】      （修正有）【課題】ワイヤレス通信に関し、制御フレームと管理フレームとを含むフレームを圧縮するためのシステム、方法、およびデバイスを提供する。【解決手段】持続時間フィールドが、ｆｃフィールド４０５の後及びｄａフィールド４１５の前など、管理フレーム４００中に含まれる。持続時間フィールドが、持続時間フィールドと比較して、低減された長さを有する。その値が、あらかじめ定義された値の倍数として持続時間を示す。その値が、１つ又は複数の送信機会期間をカバーするように選択される。従って、持続時間フィールドの長さは、あらかじめ定義された値とＴＸ−ＯＰ期間の持続時間とに基づく。あらかじめ定義された値は９６μｓであり、１つのＴＸ−ＯＰ期間が２４．５７６ｍｓである場合、持続時間フィールド長さは、持続時間フィールドの最大値が少なくとも１つのＴＸ−ＯＰ期間をカバーするように８ビットになる。【選択図】図４
2018125852.tif 000002
【特許請求の範囲】
【請求項１】
ワイヤレスネットワークにおいて通信する方法であって、
識別子を含む制御フレームを生成することと、前記識別子が、フレーム検査シーケンスの一部分と、前記制御フレームを導出したフレームのサービスフィールドとを備える、
前記制御フレームを送信することと
を備える方法。
【請求項２】
前記フレーム検査シーケンスの前記一部分が、前記制御フレームを導出した前記フレームの前記フレーム検査シーケンスの最下位バイトを含む、請求項１に記載の方法。
【請求項３】
前記サービスフィールドがスクランブラを含む、請求項１に記載の方法。
【請求項４】
前記識別子が２オクテットを含む、請求項１に記載の方法。
【請求項５】
前記フレーム検査シーケンスの前記一部分が１オクテットを含み、前記サービスフィールドが１オクテットを含む、請求項４に記載の方法。
【請求項６】
前記識別子がローカル識別子を含む、請求項１に記載の方法。
【請求項７】
前記識別子がグローバル識別子を含む、請求項１に記載の方法。
【請求項８】
ワイヤレスネットワークにおいて通信するための装置であって、
識別子を含む制御フレームを生成するように構成されたプロセッサであって、前記識別子が、フレーム検査シーケンスの一部分と、前記制御フレームを導出したフレームのサービスフィールドとを備える、プロセッサと、
前記制御フレームを送信するように構成された送信機と
を備える装置。
【請求項９】
前記フレーム検査シーケンスの前記一部分が、前記制御フレームを導出した前記フレームの前記フレーム検査シーケンスの最下位バイトを含む、請求項８に記載の装置。
【請求項１０】
前記サービスフィールドがスクランブラを含む、請求項８に記載の装置。
【請求項１１】
前記識別子が２オクテットを含む、請求項８に記載の装置。
【請求項１２】
前記フレーム検査シーケンスの前記一部分が１オクテットを含み、前記サービスフィールドが１オクテットを含む、請求項１１に記載の装置。
【請求項１３】
前記識別子がローカル識別子を含む、請求項８に記載の装置。
【請求項１４】
前記識別子がグローバル識別子を含む、請求項８に記載の装置。
【請求項１５】
ワイヤレスネットワークにおいて通信するための装置であって、
識別子を含む制御フレームを生成するための手段であって、前記識別子が、フレーム検査シーケンスの一部分と、前記制御フレームを導出したフレームのサービスフィールドとを備える、生成するための手段と、
前記制御フレームを送信するための手段と
を備える装置。
【請求項１６】
前記フレーム検査シーケンスの前記一部分が、前記制御フレームを導出した前記フレームの前記フレーム検査シーケンスの最下位バイトを含む、請求項１５に記載の装置。
【請求項１７】
前記サービスフィールドがスクランブラを含む、請求項１５に記載の装置。
【請求項１８】
前記識別子が２オクテットを含む、請求項１５に記載の装置。
【請求項１９】
前記フレーム検査シーケンスの前記一部分が１オクテットを含み、前記サービスフィールドが１オクテットを含む、請求項１８に記載の装置。
【請求項２０】
前記識別子がローカル識別子を含む、請求項１５に記載の装置。
【請求項２１】
前記識別子がグローバル識別子を含む、請求項１５に記載の装置。
【請求項２２】
コンピュータによって実行されたとき、前記コンピュータに、ワイヤレスネットワークにおいて通信する方法を行う複数の命令を備えるコンピュータ可読媒体であって、前記方法が、
識別子を含む制御フレームを生成することと、前記識別子が、フレーム検査シーケンスの一部分と、前記制御フレームを導出したフレームのサービスフィールドとを備える、
前記制御フレームを送信することと
を備えるコンピュータ可読媒体。
【請求項２３】
前記フレーム検査シーケンスの前記一部分が、前記制御フレームを導出した前記フレームの前記フレーム検査シーケンスの最下位バイトを含む、請求項２２に記載のコンピュータ可読媒体。
【請求項２４】
前記サービスフィールドがスクランブラを含む、請求項２２に記載のコンピュータ可読媒体。
【請求項２５】
前記識別子が２オクテットを含む、請求項２２に記載のコンピュータ可読媒体。
【請求項２６】
前記フレーム検査シーケンスの前記一部分が１オクテットを含み、前記サービスフィールドが１オクテットを含む、請求項２５に記載のコンピュータ可読媒体。
【請求項２７】
前記識別子がローカル識別子を含む、請求項２２に記載のコンピュータ可読媒体。
【請求項２８】
前記識別子がグローバル識別子を含む、請求項２２に記載のコンピュータ可読媒体。
【発明の詳細な説明】
【関連出願】
【０００１】
本出願は、本出願の譲受人に譲渡され、その全体が参照により本明細書に組み込まれる、２０１２年５月１１日に出願された「ＡＰＰＡＲＡＴＵＳ  ＡＮＤ  ＭＥＴＨＯＤＳ  ＦＯＲ  ＣＯＮＴＲＯＬ  ＦＲＡＭＥ  ＡＮＤ  ＭＡＮＡＧＥＭＥＮＴ  ＦＲＡＭＥ  ＣＯＭＰＲＥＳＳＩＯＮ」と題する仮米国出願第６１／６４６，０３５号に対する優先権を主張する、２０１２年１２月１９日に出願された同時係属の米国出願第１３／７１９，９７２号の一部継続出願である。
【技術分野】
【０００２】
[0001]  本出願は一般にワイヤレス通信に関し、より詳細には、制御フレームと管理フレームとを含むフレームを圧縮するためのシステム、方法、およびデバイスに関する。
【背景技術】
【０００３】
[0002]  多くの電気通信システムでは、通信ネットワークが、いくつかの対話している空間分離されたデバイス間でメッセージを交換するために使用される。ネットワークは、例えば、メトロポリタンエリア、ローカルエリア、またはパーソナルエリアであり得る地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定されるであろう。ネットワークはまた、様々なネットワークノードとデバイスとを相互接続するために使用されるスイッチング／ルーティング技法（例えば、回線交換対パケット交換）、送信のために採用される物理媒体のタイプ（例えば、ワイヤード対ワイヤレス）、および使用される通信プロトコルのセット（例えば、インターネットプロトコルスイート、ＳＯＮＥＴ（同期光ネットワーキング：Synchronous Optical Networking）、イーサネット（登録商標）など）によって異なる。
【０００４】
[0003]  ワイヤレスネットワークは、しばしば、ネットワーク要素がモバイルであり、そのため動的接続性の必要があるとき、またはネットワークアーキテクチャが、固定ではなくアドホックなトポロジーで形成される場合に好適である。ワイヤレスネットワークは、無線、マイクロ波、赤外線、光などの周波数帯域における電磁波を使用して、非誘導伝搬モードで無形物理媒体を採用する。ワイヤレスネットワークは、固定ワイヤードネットワークと比較して、ユーザモビリティおよび迅速なフィールド展開を都合よく容易にする。
【０００５】
[0004]  ワイヤレスネットワーク中のデバイスは、互いの間で情報を送信／受信し得る。情報は、管理フレームおよび／または制御フレームを備え得る。
【発明の概要】
【０００６】
[0005]  本発明のシステム、方法、およびデバイスは、それぞれいくつかの態様を有し、それらのうちの単一の態様が本発明の望ましい属性のための責任を単独で負うわけではない。次に、以下の特許請求の範囲によって表される本発明の範囲を限定することなしに、いくつかの特徴について簡潔に説明する。この説明を考察すれば、特に「詳細な説明」と題するセクションを読めば、本発明の特徴が、管理フレームおよび／または制御フレームのサイズを減少させることを含む利点をどのように提供するかが理解されるであろう。本開示の一態様は、ワイヤレスネットワークにおいて通信する方法を提供する。本方法は、識別子を含む制御フレームを生成することを備え、識別子は、フレーム検査シーケンスの一部分と、制御フレームを導出した(elicited)フレームのサービスフィールドとを備える。本方法は、制御フレームを送信することをさらに備える。
【０００７】
[0006]  本開示の別の態様は、ワイヤレスネットワークにおいて通信するための装置を提供する。本装置は、識別子を含む制御フレームを生成するように構成されたプロセッサであって、識別子が、フレーム検査シーケンスの一部分と、制御フレームを導出したフレームのサービスフィールドとを備える、プロセッサを備える。本装置は、制御フレームを送信するように構成された送信機をさらに備える。
【０００８】
[0007]  本開示の別の態様は、ワイヤレスネットワークにおいて通信するための装置を提供する。本装置は、識別子を含む制御フレームを生成するための手段であって、識別子が、フレーム検査シーケンスの一部分と、制御フレームを導出したフレームのサービスフィールドとを備える、生成するための手段を備える。本装置は、制御フレームを送信するための手段をさらに備える。
【０００９】
[0008]  本開示の別の態様は、コンピュータによって実行されたとき、コンピュータに、ワイヤレスネットワークにおいて通信する方法を行わせる複数の命令を備えるコンピュータ可読媒体を提供する。本方法は、識別子を含む制御フレームを生成することを備え、識別子は、フレーム検査シーケンスの一部分と、制御フレームを導出したフレームのサービスフィールドとを備える。本方法は、制御フレームを送信することをさらに備える。
【図面の簡単な説明】
【００１０】
【図１】本開示の態様が採用され得るワイヤレス通信システムの一例を示す図。
【図２】図１のワイヤレス通信システム内で採用され得るワイヤレスデバイスで利用できる、受信機を含めた様々な構成要素を示す図。
【図３】レガシー管理フレームの一例を示す図。
【図４】圧縮管理フレームの一例を示す図。
【図５】フレーム制御フィールドフォーマットの一例を示す図。
【図６】フレーム制御フィールドフォーマットの別の例を示す図。
【図７】フレーム制御フィールドフォーマットの別の例を示す図。
【図８】管理フレームなどのフレーム中の異なるアドレスフィールドのために使用され得る識別子のタイプ（グローバルまたはローカル）の一例を示す図。
【図９】非圧縮送信要求（ＲＴＳ）制御フレームを示す図。
【図１０】圧縮送信要求（ＲＴＳ）制御フレームを示す図。
【図１１】非圧縮送信可（ＣＴＳ）制御フレームを示す図。
【図１２】圧縮送信可（ＣＴＳ）制御フレームを示す図。
【図１３】非圧縮ＡＣＫ制御フレームを示す図。
【図１４】圧縮ＡＣＫ制御フレームを示す図。
【図１５】非圧縮省電力ポール（ｐｓ−ｐｏｌｌ）制御フレームを示す図。
【図１６】圧縮省電力ポール（ｐｓ−ｐｏｌｌ）制御フレームを示す図。
【図１７】圧縮ｐｓ−ｐｏｌｌ  ＡＣＫ制御フレームを示す図。
【図１８】非圧縮ブロックＡＣＫ要求（ＢＡＲ）制御フレームを示す図。
【図１９】圧縮ＢＡＲ制御フレームを示す図。
【図２０】非圧縮マルチトラフィック識別子（ＴＩＤ）ブロックＡＣＫ要求（ｍｕｌｔｉ−ＴＩＤ  ＢＡＲ）制御フレームを示す図。
【図２１】圧縮ｍｕｌｔｉ−ＴＩＤ  ＢＡＲ制御フレームを示す図。
【図２２】非圧縮コンテンションフリー終了（ｃｆ−ｅｎｄ）および／またはｃｆ−ｅｎｄ＋ｃｆ−ＡＣＫ制御フレームを示す図。
【図２３】圧縮ｃｆ−ｅｎｄおよび／またはｃｆ−ｅｎｄ＋ＡＣＫ制御フレームを示す図。
【図２４】非圧縮制御ラッパーフレームを示す図。
【図２５】圧縮制御ラッパー制御フレームを示す図。
【図２６】制御フレームの一例を示す図。
【図２７】管理フレームまたは制御フレームを送信するための方法の一態様を示す図。
【図２８】図１のワイヤレス通信システム内で採用され得る例示的なワイヤレスデバイスの機能ブロック図。
【図２９】フレームを受信し、処理するための方法の一態様を示す図。
【図３０】[図１のワイヤレス通信システム内で採用され得る別の例示的なワイヤレスデバイスの機能ブロック図。
【図３１】ワイヤレスネットワークにおいて通信する方法の一態様を示す図。
【図３２】図１のワイヤレス通信システム内で採用され得る例示的なワイヤレスデバイスの機能ブロック図。
【図３３】ワイヤレスネットワークにおいて通信する別の方法の一態様を示す図。
【図３４】図１のワイヤレス通信システム内で採用され得る別の例示的なワイヤレスデバイスの機能ブロック図。
【図３５】ワイヤレスネットワークにおいて通信する方法の一態様を示す図。
【発明を実施するための形態】
【００１１】
詳細な説明
[0044]  添付の図面を参照しながら新規のシステム、装置、および方法の様々な態様について以下でより十分に説明する。ただし、教示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本発明の他の態様とは無関係に実装されるにせよ、本開示の他の態様と組み合わせて実装されるにせよ、本明細書で開示する新規のシステム、装置、および方法のいかなる態様をもカバーするものであることを、当業者なら諒解されたい。例えば、本明細書に記載の態様をいくつ使用しても、装置は実装され得、または方法は実施され得る。さらに、本発明の範囲は、本明細書に記載の本発明の様々な態様に加えてまたはそれらの態様以外に、他の構造、機能、または構造および機能を使用して実施されるそのような装置または方法をカバーするものとする。本明細書で開示する任意の態様が請求項の１つまたは複数の要素によって実施され得ることを理解されたい。
【００１２】
[0045]  本明細書では特定の態様について説明するが、これらの態様の多くの変形および置換は本開示の範疇にある。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００１３】
[0046]  普及しているワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを相互接続するために使用され得る。本明細書で説明する様々な態様は、ＷｉＦｉ（登録商標）など、任意の通信規格、またはより一般的には、ワイヤレスプロトコルのＩＥＥＥ８０２．１１ファミリーの任意のメンバーに適用され得る。例えば、本明細書で説明する様々な態様は、サブ１ＧＨｚ帯域を使用するＩＥＥＥ８０２．１１ａｈプロトコルの一部として使用され得る。
【００１４】
[0047]  いくつかの態様では、サブギガヘルツ帯域中のワイヤレス信号が、直交周波数分割多重（ＯＦＤＭ）、直接シーケンススペクトル拡散（ＤＳＳＳ：direct-sequence spread spectrum）通信、ＯＦＤＭとＤＳＳＳ通信との組合せ、または他の方式を使用して、８０２．１１ａｈプロトコルに従って送信され得る。８０２．１１ａｈプロトコルの実装は、センサー、メータリング、およびスマートグリッドネットワークのために使用され得る。有利には、８０２．１１ａｈプロトコルを実装するいくつかのデバイスの態様は、他のワイヤレスプロトコルを実装するデバイスよりも少ない電力を消費し得、および／または比較的長い距離、例えば約１キロメートル以上にわたってワイヤレス信号を送信するために使用され得る。
【００１５】
[0048]  いくつかの実装形態では、ＷＬＡＮが、ワイヤレスネットワークにアクセスする構成要素である様々なデバイスを含む。例えば、２つのタイプのデバイス、すなわちアクセスポイント（「ＡＰ」）および（局または「ＳＴＡ」とも呼ばれる）クライアントが存在し得る。概して、ＡＰはＷＬＡＮのためのハブまたは基地局として働き、ＳＴＡはＷＬＡＮのユーザとして働く。例えば、ＳＴＡはラップトップコンピュータ、携帯情報端末（ＰＤＡ）、モバイル電話などであり得る。一例では、ＳＴＡは、インターネットまたは他のワイドエリアネットワークへの一般的接続性を取得するためにＷｉＦｉ（例えば、８０２．１１ａｈなどのＩＥＥＥ８０２．１１プロトコル）準拠ワイヤレスリンクを介してＡＰに接続する。いくつかの実装形態では、ＳＴＡはＡＰとして使用されることもある。
【００１６】
[0049]  アクセスポイント（「ＡＰ」）はまた、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、または何らかの他の用語を備えるか、それらのいずれかとして実装されるか、あるいはそれらのいずれかとして知られていることがある。
【００１７】
[0050]  局（「ＳＴＡ」）はまた、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスを備え得る。従って、本明細書で教示する１つまたは複数の態様は、電話（例えば、セルラー電話またはスマートフォン）、コンピュータ（例えば、ラップトップ）、ポータブル通信デバイス、ヘッドセット、ポータブルコンピューティングデバイス（例えば、個人情報端末）、エンターテインメントデバイス（例えば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００１８】
[0051]  上述したように、本明細書で説明するデバイスのいくつかは、例えば、８０２．１１ａｈ規格を実装し得る。そのようなデバイスは、ＳＴＡとして使用されるのか、ＡＰとして使用されるのか、他のデバイスとして使用されるのかにかかわらず、スマートメータリングのためにまたはスマートグリッドネットワークにおいて使用され得る。そのようなデバイスは、センサーアプリケーションを与えるか、またはホームオートメーションにおいて使用され得る。デバイスは、代わりにまたは追加として、例えばパーソナルヘルスケアのためにヘルスケアコンテキストにおいて使用され得る。これらは、監視のためにも使用でき、拡張範囲(extended-range)インターネット接続性（例えばホットスポットとともに使用するための）を可能にしたり、機械間通信を実装したりする。
【００１９】
[0052]  図１に、本開示の態様が採用され得るワイヤレス通信システム１００の一例を示す。ワイヤレス通信システム１００は、ワイヤレス規格、例えば８０２．１１ａｈ規格に従って動作し得る。ワイヤレス通信システム１００は、ＳＴＡ１０６と通信するＡＰ１０４を含み得る。
【００２０】
[0053]  様々なプロセスおよび方法は、ＡＰ１０４とＳＴＡ１０６との間の、ワイヤレス通信システム１００における伝送のために使用され得る。例えば、信号は、ＯＦＤＭ／ＯＦＤＭＡ技法に従って、ＡＰ１０４とＳＴＡ１０６との間で送信および受信され得る。この場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡ１０６との間で送信および受信され得る。この場合、ワイヤレス通信システム１００はＣＤＭＡシステムと呼ばれることがある。
【００２１】
[0054]  ＡＰ１０４からＳＴＡ１０６のうちの１つまたは複数への送信を容易にする通信リンクはダウンリンク（ＤＬ）１０８と呼ばれることがあり、ＳＴＡ１０６のうちの１つまたは複数からＡＰ１０４への送信を容易にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。さらに、いくつかの態様では、ＳＴＡ１０６は、互いに直接通信し、互いの間に直接リンク（直接）を形成し得る。
【００２２】
[0055]  ＡＰ１０４は、基地局として働き、基本サービスエリア（ＢＳＡ）１０２においてワイヤレス通信カバレージを与え得る。ＡＰ１０４は、ＡＰ１０４に関連し、また通信のためにＡＰ１０４を使用するＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワークとして機能し得ることに留意されたい。別の例では、本明細書で説明するＡＰ１０４の機能は、代替的に、ＳＴＡ１０６のうちの１つまたは複数によって行われ得る。
【００２３】
[0056]  図２に、ワイヤレス通信システム１００内で採用され得るワイヤレスデバイス２０２において利用できる様々な構成要素を示す。ワイヤレスデバイス２０２は、本明細書で説明する様々な方法を実装するように構成され得るデバイスの一例である。例えば、ワイヤレスデバイス２０２は、ＡＰ１０４を備えるかまたはＳＴＡ１０６のうちの１つを備え得る。
【００２４】
[0057]  ワイヤレスデバイス２０２は、ワイヤレスデバイス２０２の動作を制御するプロセッサ２０４を含み得る。プロセッサ２０４は中央処理ユニット（ＣＰＵ）と呼ばれることもある。読取り専用メモリ（ＲＯＭ）とランダムアクセスメモリ（ＲＡＭ）の両方を含み得るメモリ２０６は、命令とデータとをプロセッサ２０４に与える。メモリ２０６の一部は不揮発性ランダムアクセスメモリ（ＮＶＲＡＭ）をも含み得る。プロセッサ２０４は、一般に、メモリ２０６内に記憶されたプログラム命令に基づいて論理演算と算術演算とを行う。メモリ２０６中の命令は、本明細書で説明する方法を実装するように実行可能であり得る。
【００２５】
[0058]  ワイヤレスデバイス２０２が送信ノードとして実装または使用されるとき、プロセッサ２０４は、圧縮制御フレームおよび／または圧縮管理フレームを生成するように構成され得る。さらに、プロセッサ２０４は、複数の制御フレームおよび／または管理フレームのうちの１つを選択し、その制御フレームタイプおよび／または管理フレームタイプを有するパケットを生成するように構成され得る。
【００２６】
[0059]  ワイヤレスデバイス２０２が受信ノードとして実装または使用されるとき、プロセッサ２０４は、異なるタイプの制御フレームおよび／または管理フレームを処理するように構成され得る。例えば、プロセッサ２０４は、以下でさらに説明するように、受信された制御フレームおよび／または管理フレームのタイプを判断し、それに応じて、制御フレームおよび／または管理フレームを処理するように構成され得る。
【００２７】
[0060]  プロセッサ２０４は、１つまたは複数のプロセッサとともに実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を行うことができる任意の他の好適なエンティティの任意の組合せを用いて実装され得る。
【００２８】
[0061]  処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（例えば、ソースコード形式、バイナリコード形式、実行可能コード形式、または任意の他の好適なコード形式の）コードを含み得る。命令は、１つまたは複数のプロセッサによって実行されたとき、本明細書で説明する様々な機能を処理システムに行わせる。
【００２９】
[0062]  ワイヤレスデバイス２０２はまた、ワイヤレスデバイス２０２と遠隔ロケーションとの間のデータの送信および受信を可能にするために送信機２１０および／または受信機２１２を含み得るハウジング２０８を含み得る。送信機２１０と受信機２１２とは組み合わされてトランシーバ２１４になり得る。アンテナ２１６は、ハウジング２０８に取り付けられ、トランシーバ２１４に電気的に結合され得る。ワイヤレスデバイス２０２は、複数の送信機、複数の受信機、複数のトランシーバ、および／または複数のアンテナをも含み得る（図示せず）。
【００３０】
[0063]  送信機２１０は、１つまたは複数のタイプの制御フレームおよび／または管理フレームをワイヤレスに送信するように構成され得る。例えば、送信機２１０は、上述したプロセッサ２０４によって生成された圧縮制御フレームおよび／または圧縮管理フレームを送信するように構成され得る。
【００３１】
[0064]  受信機２１２は、１つまたは複数のタイプの制御フレームおよび／または管理フレームをワイヤレスに受信するように構成され得る。いくつかの態様では、受信機２１２は、以下でさらに詳細に説明するように、制御フレームおよび／または管理フレームのタイプを検出し、それに応じてフレームを処理するように構成される。
【００３２】
[0065]  ワイヤレスデバイス２０２はまた、トランシーバ２１４によって受信された信号のレベルを検出し、定量化するために使用され得る信号検出器２１８を含み得る。信号検出器２１８は、総エネルギー、シンボルごとのサブキャリア当たりのエネルギー、電力スペクトル密度および他の信号などの信号を検出し得る。ワイヤレスデバイス２０２はまた、信号を処理する際に使用するためのデジタル信号プロセッサ（ＤＳＰ）２２０を含み得る。ＤＳＰ２２０は、送信のためにパケットを生成するように構成され得る。いくつかの態様では、パケットは物理レイヤデータユニット（ＰＰＤＵ）を備え得る。
【００３３】
[0066]  ワイヤレスデバイス２０２は、いくつかの態様ではユーザインターフェース２２２をさらに備え得る。ユーザインターフェース２２２は、キーパッド、マイクロフォン、スピーカー、および／またはディスプレイを備え得る。ユーザインターフェース２２２は、ワイヤレスデバイス２０２のユーザに情報を伝達し、および／またはユーザからの入力を受信する、任意の要素または構成要素を含み得る。
【００３４】
[0067]  ワイヤレスデバイス２０２の様々な構成要素は、バスシステム２２６によって互いに結合され得る。バスシステム２２６は、例えば、データバスを含み、並びにデータバスに加えて、電力バス、制御信号バス、およびステータス信号バスを含み得る。当業者は、ワイヤレスデバイス２０２の構成要素が、何らかの他の機構を使用して、互いに結合されるかあるいは互いに入力を受け付けるかまたは与え得ることを諒解するであろう。
【００３５】
[0068]  図２には、いくつかの別個の構成要素が示されているが、当業者は構成要素のうちの１つまたは複数が組み合わせられ得るかまたは共通に実装され得ることを認識するであろう。例えば、プロセッサ２０４は、プロセッサ２０４に関して上述した機能を実装するためだけでなく、信号検出器２１８および／またはＤＳＰ２２０に関して上述した機能を実装するためにも使用され得る。さらに、図２に示される構成要素の各々は、複数の別個の要素を使用して実装され得る。
【００３６】
[0069]  参照の容易さのために、ワイヤレスデバイス２０２が送信ノードとして構成されるとき、これを以下でワイヤレスデバイス２０２ｔと呼ぶ。同様に、ワイヤレスデバイス２０２が受信ノードとして構成されるとき、これを以下でワイヤレスデバイス２０２ｒと呼ぶ。ワイヤレス通信システム１００中のデバイスは、送信ノードの機能のみ、受信ノードの機能のみ、または送信ノードと受信ノードの両方の機能を実装し得る。
【００３７】
[0070]  上述したように、ワイヤレスデバイス２０２は、ＡＰ１０４またはＳＴＡ１０６を備え得、圧縮制御フレームおよび／または圧縮管理フレームを含む異なるタイプの制御フレームおよび／または管理フレームを送信および／または受信するために使用され得る。
【００３８】
[0071]  図３に、レガシー管理フレーム３００の一例を示す。管理フレーム３００は、非圧縮の管理フレームであり得る。図示のように、管理フレーム３００は、８つの異なるフィールド、すなわち、フレーム制御（ｆｃ）フィールド３０５、持続時間／識別情報（ｄｕｒａｔｉｏｎ）フィールド３１０、（受信機アドレス（ａ１）とも呼ばれる）宛先アドレス（ｄａ）フィールド３１５、（送信機アドレス（ａ２）とも呼ばれる）送信側アドレス（ｓａ）フィールド３２０、（宛先アドレス（ａ３）とも呼ばれる）基本サービスセット識別子（ＢＳＳＩＤ）フィールド３２５、シーケンス制御（ｓｃ）フィールド３３０、フレーム本体３３５、およびフレーム検査シーケンス（ＦＣＳ）フィールド３４０を含む。ｄａ、ｓａ、およびＢＳＳＩＤフィールド３１５〜３２５の各々は、４８ビット（６オクテット）値である、デバイスのフルＭＡＣアドレスを備える。図３は、さらに、フィールド３０５〜３４０の各々のオクテット単位のサイズを示している。フィールドサイズの全ての値を合計すると、管理フレーム３００の全体的なサイズが得られる。そのような管理フレームの全体的なサイズを低減させることが有益であり得る。例えば、サイズが低減された（または「圧縮された」）管理フレームは、送信のためにより少ない帯域幅を利用し得る。
【００３９】
[0072]  従って、本明細書では、低減されたサイズの管理フレーム（および同様に制御フレーム）（圧縮管理フレームおよび圧縮制御フレーム）を使用するためのシステムおよび方法について説明する。そのような圧縮管理フレームおよび／または圧縮制御フレームの使用は、フレームを送信するために必要とされるオーバーヘッドを低減する。従って、全体としてより少ないデータが送信される必要がある。データのより少ない送信は、より少ないデータを送信するためにより少ないリソースが使用されるので、データが送信される速度を増加でき、送信機による帯域幅の使用を低減でき、送信のために必要とされる電力を低減できる。
【００４０】
[0073]  管理フレームおよび／または制御フレームの圧縮は、管理フレームおよび／または制御フレームのいくつかのフィールドを削除または変更することによって行われ得る。圧縮管理フレームおよび／または制御フレームヘッダは、次いで、ワイヤレスデバイス２０２ｔからワイヤレスデバイス２０２ｒに送られ得る。フィールドの削除または変更は、データパケットのワイヤレスデバイス２０２ｒに通信される必要がある情報に基づき得る。例えば、ワイヤレスデバイス２０２ｒは、データパケットを受信し、処理するために、管理フレーム３００中の全ての情報を必要とするとは限らない。例えば、場合によって、受信機は、管理フレーム中で送信されるであろう情報の一部をメモリにすでに記憶していることがある。ある場合には、ワイヤレスデバイス２０２ｒが、ワイヤレスデバイス２０２ｔから前に受信した管理フレーム中でその情報を受信していることがある。別の場合には、ワイヤレスデバイス２０２ｒが、製造時に、または別のデバイスとの通信を通してなど、そのような情報を事前プログラムされていることがある。
【００４１】
[0074]  さらに別の実施形態で、ワイヤレスデバイス２０２ｒは、例えば、削除されたフィールドの使用を必要とするであろういくつかの機能が必要でない場合、そのような機能を行わないことがある。削除または変更され得るフィールドのいくつかと、ワイヤレスデバイス２０２ｒがそのような圧縮管理フレームおよび／または圧縮制御フレームとともにどのように機能するかとについて以下で説明する。いくつかの実施形態では、ワイヤレスデバイス２０２ｒが、以下でさらに詳細に説明するように、使用されるフォーマットの管理フレームおよび／または制御フレーム中の指示に基づいて、使用される管理フレームおよび／または制御フレームのフォーマットを判断できる。例えば、いくつかの実施形態では、フレームのｆｃフィールド中のタイプフィールドが、フレームのために使用されるフォーマット（例えば、圧縮済み、圧縮のタイプ、および／または、非圧縮）を示し得る。追加または代替として、ｆｃフィールドｆｏフレーム中のサブタイプフィールドが、フレームのために使用されるフォーマットを示し得、他の実施形態では、ワイヤレスデバイス２０２ｒおよび２０２ｔが、圧縮管理フレームおよび／または圧縮制御フレームのただ１つのタイプを利用し、従って、どのタイプの管理フレームおよび／または圧縮制御フレームが使用されるかについての指示が必要とされないが必要とされない。
【００４２】
[0075]  レガシー８０２．１１規格（８０２．１１ａｄまで）で、ｆｃフィールドのプロトコルバージョン（ｐｖ）サブフィールドは、プロトコルバージョン０（ＰＶ０）が唯一の定義されたプロトコルバージョンであるので、常に０に設定される。従って、プロトコルバージョンの他の値、すなわち、１（ＰＶ１）、２（ＰＶ２）、および３（ＰＶ３）の使用は定義されない。従って、本明細書で説明するシステムおよび方法は、プロトコルバージョン１（ＰＶ１）、ＰＶ２、および／またはＰＶ３の一部として圧縮管理フレームおよび／または圧縮制御フレームを定義し得る。プロトコルバージョンは、通信のためにデバイスによって互換的に使用され得る。例えば、レガシー管理フレームの使用を定義するＰＶ０は、リンクのセットアップ、機能のネゴシエート、および高速データ転送のために使用され得る。さらに、圧縮管理フレームおよび／または圧縮制御フレームの使用を定義するＰＶ１、ＰＶ２、および／またはＰＶ３は、省電力モードにあるとき、周期的ショートデータ送信のために使用され得る。
【００４３】
[0076]  いくつかの実施形態では、圧縮フォーマット管理フレームおよび／または制御フレームが、既存のプロトコルバージョン０（ＰＶ０）あるいは新たに定義されたプロトコルバージョン１（ＰＶ１）、ＰＶ２、および／またはＰＶ３を使用し得る。ＰＶ１、ＰＶ２、および／またはＰＶ３の使用は、レガシーデバイスが、レガシーＰＶ０フレームのフォーマットに基づいて、受信した圧縮管理フレームおよび／または圧縮制御フレームをパースする(parse)ことを試みる状況を回避し得る。
【００４４】
[0077]  図４は、圧縮管理フレーム４００の一例を示す。図示のように、管理フレーム４００は、７つの異なるフィールド、すなわち、フレーム制御（ｆｃ）フィールド４０５、（受信機アドレス（ａ１）とも呼ばれる）宛先アドレス（ｄａ）フィールド４１５、（送信機アドレス（ａ２）とも呼ばれる）送信側アドレス（ｓａ）フィールド４２０、（宛先アドレス（ａ３）とも呼ばれる）基本サービスセット識別子（ＢＳＳＩＤ）フィールド４２５、シーケンス制御（ｓｃ）フィールド４３０、フレーム本体４３５、およびフレーム検査シーケンス（ＦＣＳ）フィールド４４０を含む。図４は、さらに、フィールド４０５〜４４０の各々のオクテット単位のサイズを示している。フィールドサイズの全ての値を合計すると、管理フレーム４００の全体的なサイズが得られる。図示のように、以下でさらに説明するように、ｄａフィールド４１５およびｓａフィールド４２０のうちの一方は長さが６オクテットであり、他方は長さが２オクテットである。管理フレーム４００の様々なフィールドは、以下で説明するいくつかの異なる態様に従って利用され得る。
【００４５】
[0078]  管理フレーム４００に示すように、持続時間フィールド３１０は省略され得る。通常、フレームを受信したデバイスは、少なくとも、送信機会中に干渉する送信がないように、デバイスが送信すべきでない時間を示す持続時間フィールド３１０を復号する。持続時間フィールド３１０の代わりに、管理フレームの意図された受信機による肯定応答を送信するための時間が経過するまで、デバイスは、管理フレームを受信した後にデータを送信しないように構成され得る。そのような肯定応答は、管理フレームが意図された受信機によって受信されたことを示すＡＣＫまたはブロック肯定応答（ＢＡ）であり得る。デバイスは、管理フレーム中のフィールド（例えば、ＡＣＫポリシーフィールド）が、ＡＣＫが受信されるまでデバイスが延期すべきであることを示す場合のみ、管理フレームに対するＡＣＫが受信されるまで送信を延期するように構成され得る。従って、持続時間フィールド３１０は管理フレームから、並びに同様にいくつかの制御フレームから省略され得る。
【００４６】
[0079]  いくつかの態様では、持続時間フィールドが、ｆｃフィールド４０５の後、およびｄａフィールド４１５の前など、管理フレーム４００中に含まれ得る。いくつかの態様では、持続時間フィールドが、持続時間フィールド３１０と比較して、低減された長さを有し得る。例えば、持続時間フィールドは、１５ビット以下の長さを有し得る。持続時間フィールドの値は、管理フレーム４００が送信／受信されるデータパケットの持続時間を示し得る。いくつかの態様では、その値が、あらかじめ定義された値（例えば、マイクロ秒単位で表される値）の倍数として持続時間を示し得る。いくつかの態様では、その値が、１つまたは複数の送信機会（ＴＸ−ＯＰ）期間をカバーするように選択され得る。従って、持続時間フィールドの長さは、あらかじめ定義された値とＴＸ−ＯＰ期間の持続時間とに基づき得る。例えば、あらかじめ定義された値は９６μｓであり、１つのＴＸ−ＯＰ期間が２４．５７６ｍｓである場合、持続時間フィールド長さは、持続時間フィールドの最大値が少なくとも１つのＴＸ−ＯＰ期間をカバーするように８ビット（例えば、ｌｏｇ２［（ＴＸ−ＯＰ期間）／（あらかじめ定義された値）］）になり得る。
【００４７】
[0080]  いくつかの態様では、ＢＳＳＩＤフィールド４２５が、管理フレーム４００中に含まれたり、含まれなかったりする点で、随意である。ｆｃフィールド４０５中のフィールド（例えば、ａ３存在フィールド）は、ＢＳＳＩＤフィールド４２５が管理フレーム４００中に含まれるかどうかを示すために使用され得る。従って、管理フレーム４００の受信機は、ＢＳＳＩＤフィールド４２５が管理フレーム４００中に存在するか否かを判断するために、そのようなフィールドの値を確認し得る。ＢＳＳＩＤフィールド４２５が、図４に示されているようにシーケンス制御フィールド４３０の前にではなく、シーケンス制御フィールド４３０の後に位置し得ることに留意されたい。
【００４８】
[0081]  いくつかの態様では、ｓｃフィールド４３０が、ショートシーケンス番号（ＳＮ）の値を含む８ビット以下のショートＳＮサブフィールドを含み得る。いくつかの態様では、ショートシーケンス番号サブフィールドが、管理フレーム３００などの非圧縮管理フレームのために定義されるように、１２ビットのシーケンス番号サブフィールドの８つの最下位ビット（ｌｓｂ）に対応する。いくつかの態様では、そのようなショートシーケンス番号サブフィールドの値が０である場合、送信機が、値０のショートシーケンス番号をもつ圧縮管理フレームの代わりに、フルシーケンス番号をもつ非圧縮管理フレームとともにフレームを送り得る。いくつかの態様では、ショートシーケンス番号サブフィールドが、ｓｃフィールド４３０の異なる８ビットである。いくつかの態様では、追加または代替として、ｓｃフィールド４３０が、拡張されたフィールドを選択的に含み得る。いくつかの態様では、管理フレーム４００のｓｃフィールド４３０中のそのような拡張されたフィールドの存在または不在が、ｆｃフィールド４０５中の１つまたは複数のビットの値によって示され得る。拡張されたフィールドは、フラグメンテーション番号サブフィールド（例えば、４ビット以下）、再試行サブフィールド（例えば、１ビット）、モアフラグサブフィールド（例えば、１ビット）、および／またはトラフィッククラス指示サブフィールド（例えば、３ビット）を含み得る。
【００４９】
[0082]  一態様では、ｆｃフィールド４０５が、表１に示すようなフォーマットを有し得る。
【表１】
2018125852.tif 000003
【００５０】
[0083]  他の態様では、ｆｃフィールド４０５が、異なるフォーマットを有し得る。図５〜図７は、管理フレーム４００中に含まれ得るｆｃフィールド４０５の異なるフォーマットの例を示す。
【００５１】
[0084]  上述したように、ｆｃフィールドのｐｖサブフィールドは、管理フレームがレガシー管理フレームであるのか圧縮管理フレームであるのかを示すために使用され得る。例えば、ｐｖサブフィールドの値０は、管理フレームがレガシー管理フレームであることを示し得、ｐｖサブフィールドの値１は、管理フレームが圧縮管理フレームであることを示し得る。圧縮管理フレームは、本明細書で説明する圧縮管理フレームのいずれかのフォーマットを有し得る。
【００５２】
[0085]  本明細書で説明する圧縮管理フレームのいずれについても、いくつかの追加の機能をサポートするために、いくつかのフィールドがさらに追加または変更され得る。いくつかの態様では、拡張フレーム制御（ｅｆｃ）フィールドが、本明細書で説明する圧縮管理フレームのいずれにも追加され得る。ｅｆｃフィールドは３ビットを備え得る。ｅｆｃフィールドは、圧縮管理フレームのａｉｄフィールドの最後の３ビットであり得る。ｅｆｃは、新しい機能についての情報を追加するために利用され得る。例えば、いくつかの態様では、ａ３アドレス（デバイスを識別する第３のアドレス）が圧縮管理フレーム中に含まれるかどうかを示すために、ａ３存在サブフィールドが、ｆｃフィールドまたは管理フレームの別のフィールド（例えば、ｅｆｃフィールド）に追加され得る。追加または代替として、いくつかの態様では、アクセス制御（ａｃ）サブフィールド、サービス期間終了（ｅｏｓｐ）サブフィールド、ａ−ｍｓｄｕサブフィールド、および／またはキューサイズサブフィールドなど、いくつかのサービス品質（ＱｏＳ）パラメータの値を示すＱｏＳサブフィールドが、ｆｃフィールドまたは管理フレームの別のフィールド（例えば、ｅｆｃフィールド）に追加される。追加または代替として、いくつかの態様では、ＡＣＫポリシーサブフィールドが圧縮管理フレームのＳＩＧフィールドに移動され得る。追加または代替として、いくつかの態様では、パケットが中継されるべきかどうかを示すために、ａ４サブフィールドが、ｆｃフィールドまたは管理フレームの別のフィールド（例えば、ｅｆｃフィールド）に追加され得る。ａ４サブフィールドは１ビットであり得る。これらのフィールドのいずれかの組合せが、フィールドの機能をサポートするために、本明細書で説明する圧縮管理フレームのいずれにおいても使用され得ることに留意されたい。いくつかの態様では、ｐｖサブフィールドの値１によって示される圧縮管理フレームが、本明細書で説明する機能をサポートし、フォーマットを有し得る。
【００５３】
[0086]  図５は、フレーム制御フィールドフォーマットの一例を示す。図示のように、フレーム制御フィールド５００は、２ビットのｐｖサブフィールド５０２、４ビットのタイプサブフィールド５０４、１ビットのｆｒｏｍ−ＡＰサブフィールド５０６、２ビットのアクセスカテゴリー（ａｃ）サブフィールド５０８、１ビットの再試行サブフィールド５１０、１ビットの電力管理（ｐｍ）サブフィールド５１２、１ビットのモードデータ（ｍｄ）サブフィールド５１４、１ビットの保護フレーム（ｐｆ）サブフィールド５１６、１ビットのａ−ｍｓｄｕサブフィールド５１８、１ビットのサービス期間終了（ｅｏｓｐ）サブフィールド５２０、および１ビットのａ３存在サブフィールド５５を含む。上述したように、これらのサブフィールドのうち、ａｃサブフィールド５０８、ａ−ｍｓｄｕサブフィールド５１８、ｅｏｓｐサブフィールド５２０、およびａ３存在サブフィールド５２２が、含まれたフィールドの機能のみをサポートするように、いずれかの組合せでｆｃフィールド５００中に含まれたり含まれなかったりする。
【００５４】
[0087]  図６は、フレーム制御フィールドフォーマットの別の例を示す。図示のように、フレーム制御フィールド６００は、２ビットのｐｖサブフィールド６０２、２ビットのタイプサブフィールド６０４、４ビットのサブタイプサブフィールド６０５、１ビットのｆｒｏｍ−ＡＰサブフィールド６０６、１ビットの電力管理（ｐｍ）サブフィールド６１２、１ビットのモードデータ（ｍｄ）サブフィールド６１４、１ビットの保護フレーム（ｐｆ）サブフィールド６１６、１ビットのａ−ｍｓｄｕサブフィールド２２１８ａ、１ビットのサービス期間終了（ｅｏｓｐ）サブフィールド６２０、１ビットのａ３存在サブフィールド６２２、および１ビットのモアｐｐｄｕ／ｒｄｇサブフィールド６２４を含む。いくつかの態様では、上述したように、これらのサブフィールドのうち、ａ−ｍｓｄｕサブフィールド６１８、ｅｏｓｐサブフィールド６２０、ａ３存在サブフィールド６２２、およびモアｐｐｄｕ／ｒｄｇサブフィールド６２４が、含まれたフィールドの機能のみをサポートするように、いずれかの組合せでｆｃフィールド６００中に含まれたり含まれなかったりする。いくつかの態様で、モアｐｐｄｕ／ｒｄｇサブフィールドは、ｅｆｃフィールドの３つの予約済みビットのうちの１つであり得る。いくつかの態様で、モアｐｐｄｕ／ｒｄｇサブフィールドは、圧縮管理フレームがフラグメント番号フィールドを含まないときの利用可能なビットのうちの１つであり得る。
【００５５】
[0088]  図７は、フレーム制御フィールドフォーマットの別の例を示す。図示のように、フレーム制御フィールド７００は、２ビットのｐｖサブフィールド７０２、２ビットのタイプサブフィールド７０４、１ビットのｆｒｏｍ−ＡＰサブフィールド７０６、および１ビットの電力管理（ｐｍ）サブフィールド７１２を含む。
【００５６】
[0089]  さらに、以下で説明するように、１３ビットのみが使用され得るので、２オクテット長のｓａまたはｄａフィールド中の全てのビットが使用されるとは限らないことがある。他の３ビットは、他の目的のために利用され得る。例えば、トラフィックＩＤ（ＴＩＤ）が、ｑｃフィールド中の代わりに、２オクテット長のｓａまたはｄａフィールド中に含まれ得る。
【００５７】
[0090]  いくつかの態様では、レガシー管理フレーム３００中で使用されるように（または同様に、いくつかの制御フレーム中で使用されるように）、ｄａフィールド４１５とｓａフィールド４２０の両方について、デバイスのためのグローバルユニーク識別子(globally unique identifier)（例えば、ＭＡＣアドレス）を使用する代わりに、ｄａフィールド４１５またはｓａフィールド４２０のうちの一方は、特定の基本サービスセット（ＢＳＳ）においてデバイスをユニークに識別するが、必ずしもグローバルにデバイスをユニークに識別するとは限らない、アクセスまたは関連付け識別子（ＡＩＤ）などのローカル識別子を使用する。従って、ｄａフィールド４１５またはｓａフィールド４２０のうちの一方は、グローバル識別子のために必要とされる長さが６オクテットであるのとは対照的に、より短いローカル識別子に適応するために長さが２オクテットであり得る。これは、管理フレーム４００のサイズを低減するのを助ける。いくつかの態様では、ｄａフィールド４１５およびｓａフィールド４２０のいずれがローカル識別子またはグローバル識別子を含むかについての選択が、パケットを送るデバイスとパケットを受信するデバイスとに基づく。例えば、その選択は、ＡＰからＳＴＡへのダウンリンク、ＳＴＡからＡＰへのアップリンク、およびあるＳＴＡから別のＳＴＡへの直接リンクの各々上で送られたパケットについて異なり得る。リンクのタイプ（例えば、ダウンリンク、アップリンク、または直接リンク）の指示は、管理フレームまたは制御フレーム中の１つまたは複数のフィールドによって行われ得る。例えば、ｆｒｏｍ−ＡＰフィールドは、ダウンリンク上で送られる管理フレームの１つの値と、アップリンク上で送られる管理フレームの別の値とを有し得る。追加または代替として、ｆｒｏｍ−ｄｓおよび／またはｔｏ−ｄｓフィールドは、異なるリンクタイプごとに異なる値を有し得る。従って、フレームを受信するデバイスは、（例えば、フィールド値に基づいて）フレームが受信されるリンクを判断し、次いで、フレーム中のｄａフィールドおよび／またはｓａフィールドの長さを判断し得る。
【００５８】
[0091]  図８は、識別子のどのタイプ（グローバルまたはローカル）が管理フレーム４００などのフレーム中の異なるアドレスフィールドのために使用され得るかの一例を示す。図示のように、アドレスフィールド中で使用される識別子のタイプは、異なるリンクタイプごとに異なる（通信の方向に応じて異なる）。方向列は、リンクの方向を示す。アドレス解釈列は、フレームが送られる方向を解釈する際に使用され得るフィールド（例えば、ｆｒｏｍ−ＡＰ）の値を示す。ａ１フィールドは、管理フレーム４００のｄａフィールド４１５など、ａ１フィールドに対応し得る。ａ２フィールドは、管理フレーム４００のｓａフィールド４２０など、ａ２フィールドに対応し得る。ａ３フィールドは、管理フレーム４００のＢＳＳＩＤフィールド４２５など、ａ３フィールドに対応し得る。Ｒｘ−ＡＩＤは、フレームの受信機のＡＩＤである受信機ＡＩＤまたはローカル識別子を指すことがある。Ｔｘ−ＡＩＤは、フレームの送信機のＡＩＤである送信機ＡＩＤまたはローカル識別子を指すことがある。ＲＡは、パケットの受信機のＭＡＣアドレスなどのグローバル識別子であり得る受信機アドレスを指すことがある。ＢＳＳＩＤは、デバイスのＢＳＳＩＤなどのグローバル識別子を指すことがある。ＳＡおよびＤＡは、それぞれ、管理フレームのソースのローカル識別子および管理フレームの宛先を指すことがある。
【００５９】
[0092]  図８が各異なるリンクタイプのために使用され得るローカルおよびグローバル識別子の１つの組合せを示しているにすぎないことに留意されたい。しかしながら、当業者が認識するように、各フレームが少なくとも１つのローカル識別子と少なくとも１つのグローバル識別子とを含む限り、アドレスの各々に、およびリンクタイプの各々にローカル識別子とグローバル識別子とのいずれかの組合せが使用され得る。従って、フレームがａ１フィールドおよびａ２フィールドしか含まない場合、１つのフィールドがローカル識別子でなければならず、１つのフィールドがグローバル識別子でなければならない。本明細書におけるフレームのいずれかの組合せにおけるアドレスフィールドのいずれかの組合せについて、実際のローカル識別子（ＡＩＤ）またはグローバル識別子（例えば、ＢＳＳＩＤ、ＭＡＣアドレス）を含むのではなく、ローカル識別子および／またはグローバル識別子のハッシュが含まれ得ることに留意されたい。１つのデバイスのローカル識別子と別のデバイスのグローバル識別子とを使用することによって、デバイスのペアがユニークに識別され得ることに留意されたい。例えば、グローバル識別子は、１つのデバイスをユニークに識別する。所与の任意のローカル識別子について、その１つのデバイスは、そのローカル識別子を有する１つの他のデバイスとのみ通信し得る。従って、ペアは、ユニークに識別可能である。
【００６０】
[0093]  上記の説明は、管理フレームの圧縮に関して行った。しかしながら、制御フレームの圧縮のために同様の技法が使用され得ることに留意されたい。特に、表１および図５〜図７に関して上述したｆｃフィールドの態様は、制御フレームのｆｃフィールドとして同様に使用され得る。さらに、制御フレームのタイプは、上述したように、管理フレームのタイプと同様の方法で示され得る。さらに、ａ３アドレスフィールドが制御フレーム中に存在するかどうかは、管理フレームに関して上述したのと同様の方法で示され得る。さらに、持続時間フィールドは、上述したのと同様の方法で制御フレームから省略されるか、または管理フレームに関して上述したように持続時間フィールドと同様のフォーマットを有し得る。さらに、制御フレームのｓｃフィールドは、上述した制御フレーム４３０のｓｃフィールドと同様であり得る。続いて、図８に関して説明したように、アドレスフィールドは、上述したように、いずれかの組合せで異なるリンクタイプごとに異なる識別子タイプ（ローカルまたはグローバル）を有し得る。制御フレームの例について、図９〜図２５に関して以下で説明する。
【００６１】
[0094]  図９は、非圧縮送信要求（ＲＴＳ）制御フレーム９００を示す。ＲＴＳは、送信のためのチャネルを要求するデバイスによって送信され得る。図示のように、ＲＴＳフレーム９００は、５つの異なるフィールド、すなわち、フレーム制御（ｆｃ）フィールド９０５、持続時間フィールド９１０、（受信機アドレス（ａ１）とも呼ばれる）受信機アドレス（ｒａ）フィールド９１５、（送信機アドレス（ａ２）とも呼ばれる）送信機アドレス（ｔａ）フィールド９２０、およびフレーム検査シーケンス（ＦＣＳ）フィールド９４０を含む。図９は、さらに、フィールド９０５〜９４０の各々のオクテット単位のサイズを示している。ｒａおよびｔａフィールド９１５〜９２０の各々は、４８ビット（６オクテット）値である、デバイスのフルＭＡＣアドレスを備える。フィールドサイズの全ての値を合計すると、非圧縮ＲＴＳフレーム９００の全体的なサイズが得られ、それは２０オクテットである。
【００６２】
[0095]  図１０は、圧縮送信要求（ＲＴＳ）制御フレーム１０００を示す。図示のように、ＲＴＳフレーム１０００は、５つの異なるフィールド、すなわち、フレーム制御（ｆｃ）フィールド１００５、持続時間フィールド１０１０、（受信機アドレス（ａ１）とも呼ばれる）受信機アドレス（ｒａ）フィールド１０１５、（送信機アドレス（ａ２）とも呼ばれる）送信機アドレス（ｔａ）フィールド１０２０、およびフレーム検査シーケンス（ＦＣＳ）フィールド１０４０を含む。図１０は、さらに、フィールド１００５〜１０４０の各々のオクテット単位のサイズを示している。図示のように、上述したように、ｒａフィールド１０１５およびｔａフィールド１０２０のうちの一方は、グローバル識別子の長さが６オクテットであるが、他方はローカル識別子の長さが２オクテットである。例えば、ＡＰからＳＴＡに送られるＲＴＳについて、ｒａフィールド１０１５はＡＰの２バイトＡＩＤを含み得、ｔａフィールド１０２０は６バイトＢＳＳＩＤを含み得、ｆｃフィールド１００５のｆｒｏｍ−ＡＰフィールドは値１を有し得る。別の例では、ＳＴＡからＡＰに送られるＲＴＳについて、ｒａフィールド１０１５は６バイトＢＳＳＩＤを含み得、ｔａフィールド１０２０はＳＴＡの２バイトＡＩＤを含み得、ｆｃフィールド１００５のｆｒｏｍ−ＡＰフィールドは値０を有し得る。持続時間フィールド１０１０は、上述したように、例えば、持続時間フィールド１０１０の値にいくつかの送信機会（ＴＸ−ＯＰ）期間を示させることによって、非圧縮ＲＴＳ制御フレーム９００の持続時間フィールド９１０から（例えば、１バイトに）サイズを低減させ得る。
【００６３】
[0096]  図１１は、非圧縮送信可（ＣＴＳ）制御フレーム１１００を示す。ＣＴＳは、ＲＴＳの受信に応答してなど、通信のためにチャネルを予約するために、デバイスによって送信され得る。図示のように、ＣＴＳフレーム１１００は、４つの異なるフィールド、すなわち、フレーム制御（ｆｃ）フィールド１１０５、持続時間フィールド１１１０、（受信機アドレス（ａ１）とも呼ばれる）受信機アドレス（ｒａ）フィールド１１１５、およびフレーム検査シーケンス（ＦＣＳ）フィールド１１４０を含む。図１１は、さらに、フィールド１１０５〜１１４０の各々のオクテット単位のサイズを示している。ｒａフィールド１１１５は、４８ビット（６オクテット）値である、デバイスのフルＭＡＣアドレスを備える。フィールドサイズの全ての値を合計すると、非圧縮ＣＴＳフレーム１１００の全体的なサイズが得られ、それは１４オクテットである。
【００６４】
[0097]  図１２は、圧縮送信可（ＣＴＳ）制御フレーム１２００を示す。図示のように、ＣＴＳフレーム１２００は、４つの異なるフィールド、すなわち、フレーム制御（ｆｃ）フィールド１２０５、持続時間フィールド１２１０、（受信機アドレス（ａ１）とも呼ばれる）受信機アドレス（ｒａ）フィールド１２１５、およびフレーム検査シーケンス（ＦＣＳ）フィールド１２４０を含む。図１２は、さらに、フィールド１２０５〜１２４０の各々のオクテット単位のサイズを示している。図示のように、ｒａフィールド１２１５は、グローバル識別子の長さが６オクテットであるか、またはローカル識別子の長さが２オクテットである。一態様では、ｒａフィールド１２１５は、ＣＴＳフレーム１２００が応答として送られるＲＴＳ制御フレーム１０００のｔａフィールド１０２０からコピーされる。別の態様では、ｒａフィールド１２１５の値は、送信デバイスのＡＩＤ（または送信デバイスのＭＡＣアドレスの１３  ｌｓｂあるいはいずれかのハッシュ）である。持続時間フィールド１２１０は、上述したように、例えば、持続時間フィールド１２１０の値にいくつかの送信機会（ＴＸ−ＯＰ）期間を示させることによって、非圧縮ＣＴＳ制御フレーム９００の持続時間フィールド９１２から（例えば、１バイトに）サイズを低減させ得る。ＣＴＳの受信側は、ＲＴＳが送信された後のショートインターフレーム空間（ＳＩＦＳ）時間にＣＴＳが受信されたかどうかを判断することによって、ＣＴＳが受信側によって送信されたＲＴＳに基づいて送信されたＣＴＳであるかどうかを判断し得る。代替的に、ＣＴＳの受信側は、ＣＴＳの送信機であり得、従って、それがＣＴＳを送信したと識別できる。
【００６５】
[0098]  図１３は、非圧縮ＡＣＫ制御フレーム１３００を示す。ＡＣＫ１３００は、フレームの受信に応答してデバイスによって送信され得る。図示のように、ＡＣＫフレーム１３００は、４つの異なるフィールド、すなわち、フレーム制御（ｆｃ）フィールド１３０５、持続時間フィールド１３１０、（受信機アドレス（ａ１）とも呼ばれる）受信機アドレス（ｒａ）フィールド１３１５、およびフレーム検査シーケンス（ＦＣＳ）フィールド１３４０を含む。図１３は、さらに、フィールド１３０５〜１３４０の各々のオクテット単位のサイズを示している。ｒａフィールド１３１５は、４８ビット（６オクテット）値である、デバイスのフルＭＡＣアドレスを備える。フィールドサイズの全ての値を合計すると、非圧縮ＡＣＫフレーム１３００の全体的なサイズが得られ、それは１４オクテットである。
【００６６】
[0099]  図１４は、圧縮ＡＣＫ制御フレーム１４００を示す。図示のように、ＡＣＫフレーム１４００は、３つの異なるフィールド、すなわち、フレーム制御（ｆｃ）フィールド１４０５、（受信機アドレス（ａ１）とも呼ばれる）受信機アドレス（ｒａ）フィールド１４１５、およびフレーム検査シーケンス（ＦＣＳ）フィールド１４４０を含む。図１４は、さらに、フィールド１４０５〜１４４０の各々のオクテット単位のサイズを示している。図示のように、ｒａフィールド１４１５は、グローバル識別子の長さが６オクテットであるか、またはローカル識別子の長さが２オクテットである。一態様で、ｒａフィールド１４１５は、ＡＣＫフレーム１４００が応答として送られるフレームのフィールドからコピーされる。別の態様で、ｒａフィールド１４１５の値は、送信デバイスのＡＩＤ（または送信デバイスのＭＡＣアドレスの１３  ｌｓｂあるいはいずれかのハッシュ）である。ＡＣＫの受信側は、ＡＣＫが、フレームが送信された後にショートインターフレーム空間（ＳＩＦＳ）時間に受信されたかどうかを判断することによって、ＡＣＫが受信側によって送信されたフレームに基づいて送信されたＡＣＫであるかどうかを判断し得る。
【００６７】
[00100]  図１５は、非圧縮省電力ポール（ｐｓ−ｐｏｌｌ）制御フレーム１５００を示す。ｐｓ−ｐｏｌｌは、デバイスが省電力モードにあるかどうかを判断するために、および／またはデバイスがいつ省電力モードでなくなることになるのかを判断するためにデバイスによって送信され得る。図示のように、ｐｓ−ｐｏｌｌフレーム１５００は、５つの異なるフィールド、すなわち、フレーム制御（ｆｃ）フィールド１５０５、持続時間フィールド１５１０、（受信機アドレス（ａ１）とも呼ばれる）受信機アドレス（ｒａ）フィールド１５１５、（送信機アドレス（ａ２）とも呼ばれる）送信機アドレス（ｔａ）フィールド１５２０、およびフレーム検査シーケンス（ＦＣＳ）フィールド１５４０を含む。図１５は、さらに、フィールド１５０５〜１５４０の各々のオクテット単位のサイズを示している。ｒａおよびｔａフィールド１５１５〜１５２０の各々は、４８ビット（６オクテット）値である、デバイスのフルＭＡＣアドレスを備える。持続時間フィールド１５１０は、ｐｓ−ｐｏｌｌフレーム１５００を送るデバイスのＡＩＤを含む。フィールドサイズの全ての値を合計すると、非圧縮ｐｓ−ｐｏｌｌフレーム１５００の全体的なサイズが得られ、それは２０オクテットである。
【００６８】
[00101]  図１６は、圧縮省電力ポール（ｐｓ−ｐｏｌｌ）制御フレーム１６００を示す。図示のように、ｐｓ−ｐｏｌｌフレーム１６００は、５つの異なるフィールド、すなわち、フレーム制御（ｆｃ）フィールド１６０５、持続時間フィールド１６１０（削除され得る）、受信機アドレス（ｒａ）フィールド１６１５（受信機アドレス（ａ１）とも呼ばれる）、送信機アドレス（ｔａ）フィールド１６２０（送信機アドレス（ａ２）とも呼ばれる）、およびフレーム検査シーケンス（ＦＣＳ）フィールド１６４０を含む。図１６は、さらに、フィールド１６０５〜１６４０の各々のオクテット単位のサイズを示している。図示のように、ｒａフィールド１６１５は、グローバル識別子の長さが６オクテットであり、ｔａフィールド１６２０は、ローカル識別子の長さが２オクテットである。持続時間フィールド１６１０は、上述したように、例えば、持続時間フィールド１６１０の値にいくつかの送信機会（ＴＸ−ＯＰ）期間を示させることによって、非圧縮ｐｓ−ｐｏｌｌ制御フレーム１５００の持続時間フィールド１５１０から（例えば、１バイトに）サイズを低減させ得る。持続時間フィールド１６１０は、データ配信時間を示し得る。
【００６９】
[00102]  図１７は、圧縮ｐｓ−ｐｏｌｌ  ＡＣＫ制御フレーム１７００を示す。図示のように、ｐｓ−ｐｏｌｌ  ＡＣＫフレーム１７００は、４つの異なるフィールド、すなわち、フレーム制御（ｆｃ）フィールド１７０５、持続時間フィールド１７１０（削除され得る）、受信機アドレス（ｒａ）フィールド１７１５（受信機アドレス（ａ１）とも呼ばれる）、およびフレーム検査シーケンス（ＦＣＳ）フィールド１７４０を含む。図１７は、さらに、フィールド１７０５〜１７４０の各々のオクテット単位のサイズを示している。図示のように、ｒａフィールド１７１５は、グローバル識別子の長さが６オクテットであるか、またはローカル識別子の長さが２オクテットである。一態様で、ｒａフィールド１７１５は、ｐｓ−ｐｏｌｌ  ＡＣＫフレーム１７００が応答として送られるｐｓ−ｐｏｌｌフレーム１６００のフィールドからコピーされる。別の態様で、ｒａフィールド１７１５の値は、送信デバイスのＡＩＤ（または送信デバイスのＭＡＣアドレスの１３  ｌｓｂあるいはいずれかのハッシュ）である。ｐｓ−ｐｏｌｌ  ＡＣＫの受信側は、ｐｓ−ｐｏｌｌ  ＡＣＫが、ｐｓ−ｐｏｌｌフレームが送信された後にショートインターフレーム空間（ＳＩＦＳ）時間に受信されたかどうかを判断することによって、ｐｓ−ｐｏｌｌ
ＡＣＫが受信側によって送信されたｐｓ−ｐｏｌｌフレームに基づいて送信されたｐｓ−ｐｏｌｌ  ＡＣＫであるかどうかを判断し得る。持続時間フィールド１７１０は、送信機が省電力モードから次にいつ復帰することになるのかを示し得る。
【００７０】
[00103]  図１８は、非圧縮ブロックＡＣＫ要求（ＢＡＲ）制御フレーム１８００を示す。例えば、デバイスは、ブロックＡＣＫ（ＢＡ）を送るように他のデバイスに要求する別のデバイスにＢＡＲフレーム１８００を送り得る。図示のように、ＢＡＲフレーム１８００は、７つの異なるフィールド、すなわち、フレーム制御（ｆｃ）フィールド１８０５、持続時間／識別情報（ｄｕｒａｔｉｏｎ）フィールド１８１０、受信機アドレス（ｒａ）フィールド１８１５（受信機アドレス（ａ１）とも呼ばれる）、送信機アドレス（ｔａ）フィールド１８２０（送信機アドレス（ａ２）とも呼ばれる）、ＢＡＲ制御フィールド１８４５、開始シーケンス制御（ｓｃ）フィールド１８３０、およびフレーム検査シーケンス（ＦＣＳ）フィールド１８４０を含む。図１８は、さらに、フィールド１８０５〜１８４５の各々のオクテット単位のサイズを示している。ｒａフィールド１８１５およびｔａフィールド１８２０の各々は、４８ビット（６オクテット）値である、デバイスのフルＭＡＣアドレスを備える。フィールドサイズの全ての値を合計すると、非圧縮ＢＡＲフレーム１８００の全体的なサイズが得られ、それは２４オクテットである。
【００７１】
[00104]  図１９は、圧縮ＢＡＲ制御フレーム１９００を示す。図示のように、ＢＡＲフレーム１９００は、７つの異なるフィールド、すなわち、フレーム制御（ｆｃ）フィールド１９０５、受信機アドレス（ｒａ）フィールド１９１５（受信機アドレス（ａ１）とも呼ばれる）、送信機アドレス（ｔａ）フィールド１９２０（送信機アドレス（ａ２）とも呼ばれる）、ＢＡＲ制御フィールド１９４５、開始シーケンス制御（ｓｃ）フィールド１９３０、およびフレーム検査シーケンス（ＦＣＳ）フィールド１９４０を含む。図１９は、さらに、フィールド１９０５〜１９４０の各々のオクテット単位のサイズを示している。図示のように、上述したように、ｒａフィールド１９１５およびｔａフィールド１９２０のうちの一方は、グローバル識別子の長さが６オクテットであるが、他方はローカル識別子の長さが２オクテットである。
【００７２】
[00105]  図２０は、非圧縮マルチトラフィック識別子（ＴＩＤ）ブロックＡＣＫ要求（ｍｕｌｔｉ−ＴＩＤ  ＢＡＲ）制御フレーム２０００を示す。例えば、デバイスは、ｍｕｌｔｉ−ＴＩＤ  ＢＡＲ中で要求されたＴＩＤごとにブロックＡＣＫ（ＢＡ）を送るように他のデバイスに要求する別のデバイスにｍｕｌｔｉ−ＴＩＤ  ＢＡＲを送り得る。図示のように、ｍｕｌｔｉ−ＴＩＤ  ＢＡＲフレーム２０００は、８つの異なるフィールド、すなわち、フレーム制御（ｆｃ）フィールド２００５、持続時間／識別情報（ｄｕｒａｔｉｏｎ）フィールド２０１０、受信機アドレス（ｒａ）フィールド２０１５（受信機アドレス（ａ１）とも呼ばれる）、送信機アドレス（ｔａ）フィールド２０２０（送信機アドレス（ａ２）とも呼ばれる）、ｍｕｌｔｉ−ＴＩＤ  ＢＡＲ制御フィールド２０４５、ＴＩＤ毎情報フィールド２０５０、開始シーケンス制御（ｓｃ）フィールド２０３０、およびフレーム検査シーケンス（ＦＣＳ）フィールド２０４０を含む（ただし、ＴＩＤ毎情報フィールド２０５０およびｓｃフィールド２０３０が各ＴＩＤに対して繰り返される）。図２０は、さらに、フィールド２００５〜２０４５の各々のオクテット単位のサイズを示している。ｒａフィールド２０１５およびｔａフィールド２０２０の各々は、４８ビット（６オクテット）値である、デバイスのフルＭＡＣアドレスを備える。フィールドサイズの全ての値を合計すると、非圧縮ｍｕｌｔｉ−ＴＩＤ  ＢＡＲフレーム２０００の全体的なサイズが得られる。
【００７３】
[00106]  図２１は、圧縮ｍｕｌｔｉ−ＴＩＤ  ＢＡＲ制御フレーム２１００を示す。図示のように、ｍｕｌｔｉ−ＴＩＤ  ＢＡＲフレーム２１００は、７つの異なるフィールド、すなわち、フレーム制御（ｆｃ）フィールド２１０５、受信機アドレス（ｒａ）フィールド２１１５（受信機アドレス（ａ１）とも呼ばれる）、送信機アドレス（ｔａ）フィールド２１２０（送信機アドレス（ａ２）とも呼ばれる）、ｍｕｌｔｉ−ＴＩＤ  ＢＡＲ制御フィールド２１４５、ＴＩＤ毎情報フィールド２１５０、開始シーケンス制御（ｓｃ）フィールド２１３０、およびフレーム検査シーケンス（ＦＣＳ）フィールド２１４０を含む（ただし、ＴＩＤ毎情報フィールド２０５０およびｓｃフィールド２０３０が各ＴＩＤに対して繰り返される）。図２１は、さらに、フィールド２１０５〜２１４０の各々のオクテット単位のサイズを示している。図示のように、上述したように、ｒａフィールド２１１５およびｔａフィールド２１２０のうちの一方は、グローバル識別子の長さが６オクテットであるが、他方はローカル識別子の長さが２オクテットである。
【００７４】
[00107]  図２２は、非圧縮コンテンションフリー終了（ｃｆ−ｅｎｄ）および／またはｃｆ−ｅｎｄ＋ｃｆ−ＡＣＫ制御フレーム２２００を示す。ｃｆ−ｅｎｄは、コンテンションフリー期間の終了をシグナリングするデバイスによって送信され得る。ｃｆ−ｅｎｄ＋ＡＣＫは、同じメッセージ中でコンテンションフリー期間の終了と別のフレームのＡＣＫ受信とをシグナリングするデバイスによって送信され得る。図示のように、ｃｆ−ｅｎｄおよび／またはｃｆ−ｅｎｄ＋ＡＣＫフレーム２２００は、５つの異なるフィールド、すなわち、フレーム制御（ｆｃ）フィールド２２０５、持続時間フィールド２２１０、受信機アドレス（ｒａ）フィールド２２１５（受信機アドレス（ａ１）とも呼ばれる）、送信機アドレス（ｔａ）フィールド２２２０（送信機アドレス（ａ２）とも呼ばれる）、およびフレーム検査シーケンス（ＦＣＳ）フィールド２２４０を含む。図２２は、さらに、フィールド２２０５〜２２４０の各々のオクテット単位のサイズを示している。ｒａおよびｔａフィールド２２１５〜２２２０の各々は、４８ビット（６オクテット）値である、デバイスのフルＭＡＣアドレスを備える。フィールドサイズの全ての値を合計すると、非圧縮ｃｆ−ｅｎｄおよび／またはｃｆ−ｅｎｄ＋ＡＣＫフレーム２２００の全体的なサイズが得られ、それは２０オクテットである。
【００７５】
[00108]  図２３は、圧縮ｃｆ−ｅｎｄおよび／またはｃｆ−ｅｎｄ＋ＡＣＫ制御フレーム２３００を示す。図示のように、ｃｆ−ｅｎｄおよび／またはｃｆ−ｅｎｄ＋ＡＣＫフレーム２３００は、４つの異なるフィールド、すなわち、フレーム制御（ｆｃ）フィールド２３０５、受信機アドレス（ｒａ）フィールド２３１５（受信機アドレス（ａ１）とも呼ばれる）、送信機アドレス（ｔａ）フィールド２３２０（送信機アドレス（ａ２）とも呼ばれる）、およびフレーム検査シーケンス（ＦＣＳ）フィールド２３４０を含む。図２３は、さらに、フィールド２３０５〜２３４０の各々のオクテット単位のサイズを示している。図示のように、ｒａフィールド２３１５のうちの１つは、ローカル識別子の長さが２オクテットであり、ｔａフィールド２３２０は、グローバル識別子の長さが６オクテットである。
【００７６】
[00109]  図２４は、非圧縮制御ラッパーフレーム２４００を示す。例えば、高スループット（ＨＴ）をサポートしないデバイスが依然としてフレームのラッパーを読み取ることができるように、デバイスは、制御ラッパー中でＨＴをサポートするフレームを送り得る（フレームは制御ラッパー中の搬送フレームである）。図示のように、制御ラッパーフレーム２４００は、７つの異なるフィールド、すなわち、フレーム制御（ｆｃ）フィールド２４０５、持続時間／識別情報（ｄｕｒａｔｉｏｎ）フィールド２４１０、受信機アドレス（ｒａ）フィールド２４１５（受信機アドレス（ａ１）とも呼ばれる）、搬送フレーム制御フィールド２４５５、ＨＴ制御フィールド２４６０、制御ラッパー制御フィールド２４４５、搬送フレーム２４３５、およびフレーム検査シーケンス（ＦＣＳ）フィールド２４４０を含む。図２４は、さらに、フィールド２４０５〜２４６０の各々のオクテット単位のサイズを示している。ｒａフィールド２４１５は、４８ビット（６オクテット）値である、デバイスのフルＭＡＣアドレスを備える。フィールドサイズの全ての値を合計すると、非圧縮制御ラッパーフレーム２４００の全体的なサイズが得られる。
【００７７】
[00110]  図２５は、圧縮制御ラッパー制御フレーム２５００を示す。図示のように、制御ラッパーフレーム２５００は、６つの異なるフィールド、すなわち、フレーム制御（ｆｃ）フィールド２５０５、受信機アドレス（ｒａ）フィールド２５１５（受信機アドレス（ａ１）とも呼ばれる）、搬送フレーム制御フィールド２５５５、ＨＴ制御フィールド２５６０、制御ラッパー制御フィールド２５４５、搬送フレーム２５３５、およびフレーム検査シーケンス（ＦＣＳ）フィールド２５４０を含む。図２５は、さらに、フィールド２５０５〜２５６０の各々のオクテット単位のサイズを示している。図示のように、ｒａフィールド２５１５は、グローバル識別子の長さが６オクテットであるか、またはローカル識別子の長さが２オクテットである。
【００７８】
[00111]  図２６は、制御フレーム３４００の一例を示す。いくつかの実施形態で、制御フレーム３４００は、一種の肯定応答フレームを含み得る。例えば、肯定応答フレームは、以前に送信されたフレームの受信に肯定応答するためのタイミング同期関数（ＴＳＦ）肯定応答フレームを含み、肯定応答を導出した(elicited)ＳＴＡにＴＳＦ値を与え得る。例えば、ＴＳＦ値は、ＳＴＡのローカルクロックをＡＰのクロックと同期させるためにＳＴＡによって使用され得る。図２６に示すように、制御フレーム３４００は、フレーム制御フィールド３４０２、受信機アドレス（ＲＡ）フィールド３４０４、送信機アドレス（ＴＡ）フィールド３４０６、ＴＳＦの一部を含み得る部分タイムスタンプフィールド３４０８、およびフレーム検査シーケンスフィールド３４１０を含む。いくつかの実施形態で、フレーム制御フィールド３４０２は、２オクテット（またはバイト）の、上述した情報などの情報を含み、ＲＡフィールド３４０４は、２オクテット（またはバイト）の、フレーム３４００の受信機を識別する情報を含み、ＴＡフィールド３４０６は、２オクテット（またはバイト）の、フレーム３４００の送信機を識別する情報を含み、部分タイムスタンプフィールド３４０８は、４オクテット（またはバイト）の、フレーム３４００中に含まれるＴＳＦ値の一部を示す情報を含み、フレーム検査シーケンスフィールド３４１０は、４オクテット（またはバイト）を含む。いくつかの実施形態で、ＲＡフィールド３４０４は、ローカル識別子またはグローバル識別子を含む。いくつかの実施形態で、ＴＡフィールド３４０６は、ローカル識別子またはグローバル識別子を含む。
【００７９】
[00112]  いくつかの実施形態で、ＴＡフィールド３４０６は、フレーム検査シーケンス（ＦＣＳ）の一部分と制御フレームを導出したフレームのサービスフィールドの一部とを含むフレーム３４００の送信機の識別子を含み得る。例えば、上述したように、制御フレーム３４００は、タイミング同期関数（ＴＳＦ）肯定応答フレームであり得る。この例で、ＴＳＦ肯定応答フレームは、ＳＴＡまたはＡＰによって生成され得、制御応答を導出する以前に受信されたフレームへの応答としておよび送られ得る。以前に受信されたフレームは、ＦＣＳとサービスフィールドとを含み得る。サービスフィールドは、フレームのロバストネスを増加するために使用されるスクランブラを含み得る。ＦＣＳは、フレームを保護することと、送信中にエラーが発生したかどうかを判断することとを行うために使用される。以前に受信されたフレームは、導出フレーム( eliciting frame)の受信側から関数ＴＳＦ肯定応答フレームを導出し得る。一実施形態で、導出フレームの受信側はＡＰであり得る。導出フレームに応答して、受信側（例えば、ＡＰ）は、ＴＳＦ肯定応答フレームを生成し得る。ＴＳＦ肯定応答フレームのＴＡフィールド３４０６は、直前に受信されたフレーム（すなわち、導出フレーム）のＦＣＳの一部分を含み得、直前に受信されたフレーム（すなわち、導出フレーム）のサービスフィールドをも含み得る。いくつかの実施形態で、ＴＳＦ肯定応答フレームのＴＡフィールド３４０６内に含まれる導出フレームのＦＣＳの一部分は、導出フレームのＦＣＳの最下位バイトを含み、それは、ＴＡフィールドの第１のオクテットとして含まれ得る。さらに、ＴＡフィールドの第２のオクテットは、導出フレームのサービスフィールドの１オクテットを含み得る。
【００８０】
[00113]  図２７は、管理フレームおよび／または制御フレームを送信するための方法２６００の一態様を示す。方法２６００は、本明細書で説明するフレームのいずれかを選択的に生成するために使用され得る。フレームは、ＡＰ１０４またはＳＴＡ１０６のいずれかにおいて生成され、ワイヤレスネットワーク１００中の別のノードに送信され得る。方法２６００についてワイヤレスデバイス２０２ｔの要素に関して以下で説明するが、当業者は本明細書で説明するステップのうちの１つまたは複数を実装するために他の構成要素が使用され得ることを諒解するであろう。
【００８１】
[00114]  ブロック２６０４では、フレームが生成される。いくつかの実施形態で、フレームは、パケット中で使用されるフレームのタイプ（例えば、圧縮済みまたは非圧縮）を示す第１のフィールドを含む。生成は、例えば、プロセッサ２０４および／またはＤＳＰ２２０によって行われ得る。フレームは、データパケットの送信機またはデータパケットの受信機のいずれかのローカル識別子と、データパケットの送信機およびデータパケットの受信機のうちの他方のグローバル識別子とを含み得る。
【００８２】
[00115]  その後、ブロック２６０６では、フレームがワイヤレス送信される。送信は、例えば、送信機２１０によって行われ得る。
【００８３】
[00116]  図２８は、ワイヤレス通信システム１００内で採用され得る例示的なワイヤレスデバイス２７００の機能ブロック図である。デバイス２７００は、フレームを生成するための生成モジュール２７０４を備える。生成モジュール２７０４は、図２７に示したブロック２６０４に関して上述した１つまたは複数の機能を行うように構成され得る。生成モジュール２６０４は、プロセッサ２０４およびＤＳＰ２２０のうちの１つまたは複数に対応し得る。デバイス２７００は、生成されたフレームをワイヤレス送信するための送信モジュール２７０６をさらに備える。送信モジュール２７０６は、図２７に示したブロック２６０６に関して上述した１つまたは複数の機能を行うように構成され得る。送信モジュール２７０６は送信機２１０に対応し得る。
【００８４】
[00117]  図２９は、フレームを受信し、処理するための方法２８００の一態様を示す。方法２８００は、本明細書で説明する任意のタイプのフレーム（例えば、圧縮管理および／または制御フレーム）を受信し、処理するために使用され得る。フレームは、ワイヤレスネットワーク１００中の別のノードからＡＰ１０４またはＳＴＡ１０６のいずれかにおいて受信され得る。方法２８００についてワイヤレスデバイス２０２ｒの要素に関して以下で説明するが、当業者は本明細書で説明するステップのうちの１つまたは複数を実装するために他の構成要素が使用され得ることを諒解するであろう。
【００８５】
[00118]  ブロック２８０２では、フレームを備えるワイヤレス通信が受信される。受信は、例えば、受信機２１２によって行われ得る。いくつかの態様で、フレームは、パケット中で使用されるフレームのタイプ（例えば、圧縮または非圧縮）を示す第１のフィールドを含む。
【００８６】
[00119]  その後、ブロック２８０４では、ワイヤレスデバイス２０２ｒがフレームの予定受信側であるかどうかが判断される。判断は、データフレームの送信機またはデータフレームの受信機のいずれかのローカル識別子と、データフレームの送信機およびデータフレームの受信機のうちの他方のグローバル識別子とを含み得るフレームに基づいて行われ得る。判断は、例えば、プロセッサ２０４、信号検出器２１８、および／またはＤＳＰ２２０によって行われ得る。
【００８７】
[00120]  さらに、ブロック２８０６では、ワイヤレスデバイス２０２ｒが予定受信側である場合、ワイヤレスデバイス２０２ｒがフレームを処理する。処理は、例えば、プロセッサ２０４、信号検出器２１８、および／またはＤＳＰ２２０によって行われ得る。
【００８８】
[00121]  図３０は、ワイヤレス通信システム１００内で採用され得る別の例示的なワイヤレスデバイス２９００の機能ブロック図である。デバイス２９００は、フレームを備えるワイヤレス通信をワイヤレス受信するための受信モジュール２９０２を備える。受信モジュール２９０２は、図２９に示したブロック２８０２に関して上述した１つまたは複数の機能を行うように構成され得る。受信モジュール２９０２は受信機２１２に対応し得る。デバイス２９００は、フレームの予定受信側を判断する判断モジュール２９０４をさらに備える。判断モジュール２９０４は、図２９に示したブロック２８０４に関して上述した１つまたは複数の機能を行うように構成され得る。判断モジュール２９０４は、プロセッサ２０４、信号検出器２１８、およびＤＳＰ２２０のうちの１つまたは複数に対応し得る。デバイス２９００は、フレームを処理するための処理モジュール２９０６をさらに備える。処理モジュール２９０６は、図２９に示したブロック２８０６に関して上述した機能のうちの１つまたは複数を行うように構成され得る。処理モジュール２９０６は、プロセッサ２０４、信号検出器２１８、およびＤＳＰ２２０のうちの１つまたは複数に対応し得る。
【００８９】
[00122]  図３１は、ワイヤレスネットワークにおいて通信する方法３０００の一態様を示す。方法３０００は、本明細書で説明する管理フレームのいずれかを選択的に生成するために使用され得る。フレームは、ＡＰ１０４またはＳＴＡ１０６のいずれかにおいて生成され、ワイヤレスネットワーク１００中の別のノードに送信され得る。方法３０００についてワイヤレスデバイス２０２の要素に関して以下で説明するが、当業者は本明細書で説明するステップのうちの１つまたは複数を実装するために他の構成要素が使用され得ることを諒解するであろう。
【００９０】
[00123]  ブロック３００４で、本方法は、管理フレームが送信されるリンクタイプに基づいて管理フレームの送信機のローカル識別子またはグローバル識別子を含み、リンクタイプと、フレーム検査シーケンスと、リンクタイプを示す情報とに基づいて管理フレームの受信側のローカル識別子またはグローバル識別子を含む管理フレームを生成することによって開始する。生成は、例えば、プロセッサ２０４および／またはＤＳＰ２２０によって行われ得る。ブロック３００６で、本方法は、管理フレームを送信することによって続く。送信は、例えば、送信機２１０またはトランシーバ２１４によって行われ得る。
【００９１】
[00124]  いくつかの態様で、リンクタイプは、ダウンリンクと、アップリンクと、直接リンクとのうちの少なくとも１つを含む。いくつかの態様で、ローカル識別子はアクセス識別子を備え、グローバル識別子はメディアアクセス制御（ＭＡＣ）アドレスを備える。いくつかの態様で、ローカル識別子は１３ビットを備え、グローバル識別子は４８ビットを備える。例えば、上述したように、宛先アドレス（ｄａ）フィールド（例えば、ｄａフィールド４１５）と送信側アドレス（ｓａ）フィールド４２０（例えば、ｓａフィールド４２０）の両方について、デバイスのためのグローバルユニーク識別子（例えば、ＭＡＣアドレス）を使用する代わりに、ｄａフィールド４１５またはｓａフィールド４２０のうちの一方は、特定の基本サービスセット（ＢＳＳ）においてデバイスをユニークに識別するが、必ずしもグローバルにデバイスをユニークに識別するとは限らないローカル識別子（例えば、アクセスまたは関連付け識別子（ＡＩＤ））を使用し得る。従って、ｄａフィールド４１５またはｓａフィールド４２０のうちの一方は、グローバル識別子のために必要とされる長さが６オクテットであるのとは対照的に、より短いローカル識別子に適応するために長さが２オクテットであり得る。ｄａフィールド４１５およびｓａフィールド４２０のいずれがローカル識別子またはグローバル識別子を含むかについての選択は、パケットを送るデバイスとパケットを受信するデバイスとに基づく。例えば、その選択は、ＡＰからＳＴＡへのダウンリンク、ＳＴＡからＡＰへのアップリンク、およびあるＳＴＡから別のＳＴＡへの直接リンクの各々上で送られたパケットについて異なり得る。リンクのタイプ（例えば、ダウンリンク、アップリンク、または直接リンク）の指示は、管理フレーム中の１つまたは複数のフィールドによって行われ得る。いくつかの態様で、リンクタイプを示す情報は、アクセスポイント元フィールド中に含まれ得る。例えば、ｆｒｏｍ−ＡＰフィールドは、ダウンリンク上で送られた管理フレームの１つの値と、アップリンク上で送られた管理フレームの別の値とを有し得る。いくつかの態様で、リンクタイプを識別する情報は、配信先システム（ｔｏ−ｄｓ）フィールドおよび配信元システム（ｆｒｏｍ−ｄｓ）フィールド中に含まれ得る。例えば、ｆｒｏｍ−ｄｓおよび／またはｔｏ−ｄｓフィールドは、異なるリンクタイプごとに異なる値を有し得る。従って、管理フレームを受信するデバイスは、（例えば、リンクタイプを示す情報に基づいて）フレームが受信されるリンクを判断し、次いで、フレーム中のｄａフィールドおよび／またはｓａフィールドの長さを判断し得る。
【００９２】
[00125]  図３２は、ワイヤレス通信システム１００内で採用され得る例示的なワイヤレスデバイス３１００の機能ブロック図である。デバイス３１００は、管理フレームが送信されるリンクタイプに基づく管理フレームの送信機のローカル識別子またはグローバル識別子、およびリンクタイプと、フレーム検査シーケンスと、リンクタイプを示す情報とに基づく管理フレームの受信側のローカル識別子またはグローバル識別子を含む管理フレームを生成するための生成モジュール３１０４を備える。生成モジュール３１０４は、図３１に示したブロック３００４に関して上述した機能のうちの１つまたは複数を行うように構成され得る。生成モジュール３１０４は、プロセッサ２０４およびＤＳＰ２２０のうちの１つまたは複数に対応し得る。デバイス３１００は、管理フレームを送信するための送信モジュール３１０６をさらに備える。送信モジュール３１０６は、図３１に示したブロック３００６に関して上述した１つまたは複数の機能を行うように構成され得る。送信モジュール３１０６は、送信機２１０およびトランシーバ２１４のうちの１つまたは複数に対応し得る。
【００９３】
[00126]  図３３は、ワイヤレスネットワークにおいて通信する方法３２００の一態様を示す。方法３２００は、本明細書で説明する制御フレームのいずれかを選択的に生成するために使用され得る。フレームは、ＡＰ１０４またはＳＴＡ１０６のいずれかにおいて生成され、ワイヤレスネットワーク１００中の別のノードに送信され得る。方法３２００についてワイヤレスデバイス２０２の要素に関して以下で説明するが、当業者は本明細書で説明するステップのうちの１つまたは複数を実装するために他の構成要素が使用され得ることを諒解するであろう。
【００９４】
[00127]  ブロック３２０４で、本方法は、制御フレームが送信されるリンクタイプと、フレーム検査シーケンスと、リンクタイプを示す情報とに基づいてローカル識別子またはグローバル識別子を選択的に含む制御フレームを生成することによって開始する。生成は、例えば、プロセッサ２０４および／またはＤＳＰ２２０によって行われ得る。ブロック３２０６で、本方法は、制御フレームを送信することによって続く。送信は、例えば、送信機２１０またはトランシーバ２１４によって行われ得る。
【００９５】
[00128]  いくつかの態様で、リンクタイプは、ダウンリンクと、アップリンクと、直接リンクとのうちの少なくとも１つを含む。いくつかの態様では、ローカル識別子はアクセス識別子を備え、グローバル識別子はメディアアクセス制御（ＭＡＣ）アドレスを備える。いくつかの態様で、ローカル識別子は１３ビットを備え、グローバル識別子は４８ビットを備える。例えば、上述したように、ｄａフィールド４１５またはｓａフィールド４２０のうちの１つは、特定の基本サービスセット（ＢＳＳ）においてデバイスをユニークに識別するローカル識別子（例えば、アクセス識別子（ＡＩＤ））を使用し得る。ｄａフィールド４１５およびｓａフィールド４２０のいずれがローカル識別子またはグローバル識別子を含むかについての選択は、パケットを送るデバイスとパケットを受信するデバイスとに基づく。例えば、その選択は、ＡＰからＳＴＡへのダウンリンク、ＳＴＡからＡＰへのアップリンク、およびあるＳＴＡから別のＳＴＡへの直接リンクの各々上で送られたパケットについて異なり得る。リンクのタイプ（例えば、ダウンリンク、アップリンク、または直接リンク）の指示は、管理フレーム中の１つまたは複数のフィールドによって行われ得る。いくつかの態様で、リンクタイプを示す情報は、アクセスポイント元フィールド中に含まれ得る。例えば、ｆｒｏｍ−ＡＰフィールドは、ダウンリンク上で送られた管理フレームの１つの値と、アップリンク上で送られた管理フレームの別の値とを有し得る。いくつかの態様では、リンクタイプを識別する情報は、配信先システム（ｔｏ−ｄｓ）フィールドおよび配信元システム（ｆｒｏｍ−ｄｓ）フィールド中に含まれ得る。例えば、ｆｒｏｍ−ｄｓおよび／またはｔｏ−ｄｓフィールドは、異なるリンクタイプごとに異なる値を有し得る。従って、管理フレームを受信するデバイスは、（例えば、リンクタイプを示す情報に基づいて）フレームが受信されるリンクを判断し、次いで、フレーム中のｄａフィールドおよび／またはｓａフィールドの長さを判断し得る。
【００９６】
[00129]  いくつかの態様で、制御フレームは、送信要求フレーム、送信可フレーム、肯定応答フレーム、省電力ポールフレーム、省電力ポール肯定応答フレーム、ブロック肯定応答要求フレーム、マルチトラフィック識別子ブロック肯定応答要求フレーム、コンテンションフリー終了フレーム、コンテンションフリーおよび肯定応答フレーム、並びに制御ラッパーのうちの少なくとも１つを備える。
【００９７】
[00130]  図３４は、ワイヤレス通信システム１００内で採用され得る別の例示的なワイヤレスデバイス３３００の機能ブロック図である。デバイス３３００は、制御フレームが送信されるリンクタイプと、フレーム検査シーケンスと、リンクタイプを示す情報とに基づいてローカル識別子またはグローバル識別子を選択的に含む制御フレームを生成するための生成モジュール３３０４を備える。生成モジュール３３０４は、図３３に示したブロック３２０４に関して上述した機能のうちの１つまたは複数を行うように構成され得る。生成モジュール３３０４は、プロセッサ２０４およびＤＳＰ２２０のうちの１つまたは複数に対応し得る。デバイス３３００は、制御フレームを送信するための送信モジュール３３０６をさらに備える。送信モジュール３３０６は、図３３に示したブロック３２０６に関して上述した機能のうちの１つまたは複数を行うように構成され得る。送信モジュール３３０６は、送信機２１０およびトランシーバ２１４のうちの１つまたは複数に対応し得る。
【００９８】
[00131]  図３５は、ワイヤレスネットワークにおいて通信する方法３５００の一態様を示す。方法３５００は、本明細書で説明する制御フレームのいずれかを選択的に生成するために使用され得る。フレームは、ＡＰ１０４またはＳＴＡ１０６のいずれかにおいて生成され、ワイヤレスネットワーク１００中の別のノードに送信され得る。方法３５００についてワイヤレスデバイス２０２の要素に関して以下で説明するが、当業者は本明細書で説明するステップのうちの１つまたは複数を実装するために他の構成要素が使用され得ることを諒解するであろう。
【００９９】
[00132]  ブロック３５０４で、本方法は、識別子を含む制御フレームを生成することによって開始し、識別子は、フレーム検査シーケンスの一部分と、制御フレームを導出したフレームのサービスフィールドとを備える。生成は、例えば、プロセッサ２０４および／またはＤＳＰ２２０によって行われ得る。ブロック３５０６で、本方法は、制御フレームを送信することによって続く。送信は、例えば、送信機２１０またはトランシーバ２１４によって行われ得る。
【０１００】
[00133]  いくつかの実施形態で、フレーム検査シーケンスの一部分は、制御フレームを導出したフレームのフレーム検査シーケンスの最下位オクテット（バイト）を含む。いくつかの実施形態で、サービスフィールドはスクランブラを含む。
【０１０１】
[00134]  いくつかの実施形態で、識別子は２オクテットを含む。いくつかの実施形態で、識別子の第１のオクテットは、導出フレームのフレーム検査シーケンスの一部分（例えば、最下位のオクテット）であり、識別子の第２のオクテットは、導出フレームのサービスフィールドの１オクテットを含む。
【０１０２】
[00135]  いくつかの実施形態で、識別子はローカル識別子を含む。いくつかの実施形態で、識別子はグローバル識別子を含む。
【０１０３】
[00136]  図３４は、ワイヤレス通信システム１００内で採用され得る例示的なワイヤレスデバイス３６００の機能ブロック図である。デバイス３６００は、識別子を含む制御フレームを生成するための生成モジュール３６０４を備え、識別子は、フレーム検査シーケンスの一部分と、制御フレームを導出したフレームのサービスフィールドとを備える。生成モジュール３６０４は、図３５に示したブロック３５０４に関して上述した１つまたは複数の機能を行うように構成され得る。生成モジュール３６０４は、プロセッサ２０４およびＤＳＰ２２０のうちの１つまたは複数に対応し得る。デバイス３６００は、制御フレームを送信するための送信モジュール３６０６をさらに備える。送信モジュール３６０６は、図３５に示したブロック３５０６に関して上述した１つまたは複数の機能を行うように構成され得る。送信モジュール３６０６は送信機２１０またはトランシーバ２１４のうちの１つまたは複数に対応し得る。
【０１０４】
[00137]  本明細書で使用する「判断」という用語は、多種多様なアクションを包含する。例えば、「判断」は、計算、算出、処理、導出、調査、探索（例えば、テーブル、データベースまたは別のデータ構造での探索）、確認などを含み得る。また、「判断」は、受信（例えば、情報を受信すること）、アクセス（例えば、メモリ中のデータにアクセスすること）などを含み得る。また、「判断」は、解決、選択、選定、確立などを含み得る。さらに、本明細書で使用する「チャネル幅」は、帯域幅を包含し得るか、またはいくつかの態様では帯域幅と呼ばれることもある。
【０１０５】
[00138]  本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１０６】
[00139]  上述した方法の様々な動作は、（１つまたは複数の）様々なハードウェアおよび／またはソフトウェア構成要素、回路、および／または（１つまたは複数の）モジュールなど、それらの動作を行うことが可能な任意の好適な手段によって行われ得る。概して、図に示すどの動作も、その動作を行うことが可能な対応する機能的手段によって行われ得る。
【０１０７】
[00140]  本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を行うように設計されたそれらの任意の組合せを用いて実装または行われ得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０８】
[00141]  １つまたは複数の態様では、説明した機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。従って、いくつかの態様では、コンピュータ可読媒体は非一時的コンピュータ可読媒体（例えば、有形媒体）を備え得る。さらに、いくつかの態様では、コンピュータ可読媒体は一時的コンピュータ可読媒体（例えば、信号）を備え得る。上記の組合せもコンピュータ可読媒体の範囲内に含めるべきである。
【０１０９】
[00142]  本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１１０】
[00143]  説明した機能は、ハードウェア、ソフトウェア、ファームウェア、またはそれらの組合せで実装され得る。ソフトウェアで実装した場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびブルーレイディスク（disc）を含み、ディスク（disk）は、通常、データを磁気的に再生し、ディスク（disc）は、データをレーザーで光学的に再生する。
【０１１１】
[00144]  従って、いくつかの態様は、本明細書で提示した動作を行うためのコンピュータプログラム製品を備え得る。例えば、そのようなコンピュータプログラム製品は、本明細書で説明した動作を行うために１つまたは複数のプロセッサによって実行可能である複数の命令を記憶した（および／または符号化した）コンピュータ可読媒体を備え得る。いくつかの態様では、コンピュータプログラム製品はパッケージング材料を含み得る。
【０１１２】
[00145]  ソフトウェアまたは命令はまた、伝送媒体を介して送信され得る。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１１３】
[00146]  さらに、本明細書で説明した方法および技法を行うためのモジュールおよび／または他の適切な手段は、適用可能な場合にユーザ端末および／または基地局によってダウンロードおよび／または他の方法で取得され得ることを諒解されたい。例えば、そのようなデバイスは、本明細書で説明した方法を行うための手段の転送を容易にするためにサーバに結合され得る。代替的に、本明細書で説明した様々な方法は、ユーザ端末および／または基地局が記憶手段をデバイスに結合するかまたは与えると様々な方法を得ることができるように、記憶手段（例えば、ＲＡＭ、ＲＯＭ、コンパクトディスク（ＣＤ）またはフロッピーディスクなどの物理記憶媒体など）によって提供され得る。さらに、本明細書で説明した方法および技法をデバイスに与えるための任意の他の好適な技法が利用され得る。
【０１１４】
[00147]  特許請求の範囲は、上記に示した厳密な構成および構成要素に限定されないことを理解されたい。上述した方法および装置の構成、動作および詳細において、特許請求の範囲から逸脱することなく、様々な改変、変更および変形が行われ得る。
【０１１５】
[00148]  上記は本開示の態様を対象とするが、本開示の他の態様およびさらなる態様は、それの基本的範囲から逸脱することなく考案され得、それの範囲は以下の特許請求の範囲によって判断される。
【図１】
2018125852.tif 000004
【図２】
2018125852.tif 000005
【図３】
2018125852.tif 000006
【図４】
2018125852.tif 000007
【図５】
2018125852.tif 000008
【図６】
2018125852.tif 000009
【図７】
2018125852.tif 000010
【図８】
2018125852.tif 000011
【図９】
2018125852.tif 000012
【図１０】
2018125852.tif 000013
【図１１】
2018125852.tif 000014
【図１２】
2018125852.tif 000015
【図１３】
2018125852.tif 000016
【図１４】
2018125852.tif 000017
【図１５】
2018125852.tif 000018
【図１６】
2018125852.tif 000019
【図１７】
2018125852.tif 000020
【図１８】
2018125852.tif 000021
【図１９】
2018125852.tif 000022
【図２０】
2018125852.tif 000023
【図２１】
2018125852.tif 000024
【図２２】
2018125852.tif 000025
【図２３】
2018125852.tif 000026
【図２４】
2018125852.tif 000027
【図２５】
2018125852.tif 000028
【図２６】
2018125852.tif 000029
【図２７】
2018125852.tif 000030
【図２８】
2018125852.tif 000031
【図２９】
2018125852.tif 000032
【図３０】
2018125852.tif 000033
【図３１】
2018125852.tif 000034
【図３２】
2018125852.tif 000035
【図３３】
2018125852.tif 000036
【図３４】
2018125852.tif 000037
【図３５】
2018125852.tif 000038
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて通信する方法であって、
識別子を含む制御フレームを生成することと、前記識別子が、フレーム検査シーケンスの一部分と、前記制御フレームを導出したフレームのサービスフィールドとを備える、
前記制御フレームを送信することと
を備える方法。
【手続補正２】
【補正対象書類名】明細書
【補正対象項目名】０１１５
【補正方法】変更
【補正の内容】
【０１１５】
[00148]  上記は本開示の態様を対象とするが、本開示の他の態様およびさらなる態様は、それの基本的範囲から逸脱することなく考案され得、それの範囲は以下の特許請求の範囲によって判断される。
以下に、本願の当初の特許請求の範囲に記載された発明を付記する。
[Ｃ１]
ワイヤレスネットワークにおいて通信する方法であって、
識別子を含む制御フレームを生成することと、前記識別子が、フレーム検査シーケンスの一部分と、前記制御フレームを導出したフレームのサービスフィールドとを備える、
前記制御フレームを送信することと
を備える方法。
[Ｃ２]
前記フレーム検査シーケンスの前記一部分が、前記制御フレームを導出した前記フレームの前記フレーム検査シーケンスの最下位バイトを含む、Ｃ１に記載の方法。
[Ｃ３]
前記サービスフィールドがスクランブラを含む、Ｃ１に記載の方法。
[Ｃ４]
前記識別子が２オクテットを含む、Ｃ１に記載の方法。
[Ｃ５]
前記フレーム検査シーケンスの前記一部分が１オクテットを含み、前記サービスフィールドが１オクテットを含む、Ｃ４に記載の方法。
[Ｃ６]
前記識別子がローカル識別子を含む、Ｃ１に記載の方法。
[Ｃ７]
前記識別子がグローバル識別子を含む、Ｃ１に記載の方法。
[Ｃ８]
ワイヤレスネットワークにおいて通信するための装置であって、
識別子を含む制御フレームを生成するように構成されたプロセッサであって、前記識別子が、フレーム検査シーケンスの一部分と、前記制御フレームを導出したフレームのサービスフィールドとを備える、プロセッサと、
前記制御フレームを送信するように構成された送信機と
を備える装置。
[Ｃ９]
前記フレーム検査シーケンスの前記一部分が、前記制御フレームを導出した前記フレームの前記フレーム検査シーケンスの最下位バイトを含む、Ｃ８に記載の装置。
[Ｃ１０]
前記サービスフィールドがスクランブラを含む、Ｃ８に記載の装置。
[Ｃ１１]
前記識別子が２オクテットを含む、Ｃ８に記載の装置。
[Ｃ１２]
前記フレーム検査シーケンスの前記一部分が１オクテットを含み、前記サービスフィールドが１オクテットを含む、Ｃ１１に記載の装置。
[Ｃ１３]
前記識別子がローカル識別子を含む、Ｃ８に記載の装置。
[Ｃ１４]
前記識別子がグローバル識別子を含む、Ｃ８に記載の装置。
[Ｃ１５]
ワイヤレスネットワークにおいて通信するための装置であって、
識別子を含む制御フレームを生成するための手段であって、前記識別子が、フレーム検査シーケンスの一部分と、前記制御フレームを導出したフレームのサービスフィールドとを備える、生成するための手段と、
前記制御フレームを送信するための手段と
を備える装置。
[Ｃ１６]
前記フレーム検査シーケンスの前記一部分が、前記制御フレームを導出した前記フレームの前記フレーム検査シーケンスの最下位バイトを含む、Ｃ１５に記載の装置。
[Ｃ１７]
前記サービスフィールドがスクランブラを含む、Ｃ１５に記載の装置。
[Ｃ１８]
前記識別子が２オクテットを含む、Ｃ１５に記載の装置。
[Ｃ１９]
前記フレーム検査シーケンスの前記一部分が１オクテットを含み、前記サービスフィールドが１オクテットを含む、Ｃ１８に記載の装置。
[Ｃ２０]
前記識別子がローカル識別子を含む、Ｃ１５に記載の装置。
[Ｃ２１]
前記識別子がグローバル識別子を含む、Ｃ１５に記載の装置。
[Ｃ２２]
コンピュータによって実行されたとき、前記コンピュータに、ワイヤレスネットワークにおいて通信する方法を行う複数の命令を備えるコンピュータ可読媒体であって、前記方法が、
識別子を含む制御フレームを生成することと、前記識別子が、フレーム検査シーケンスの一部分と、前記制御フレームを導出したフレームのサービスフィールドとを備える、
前記制御フレームを送信することと
を備えるコンピュータ可読媒体。
[Ｃ２３]
前記フレーム検査シーケンスの前記一部分が、前記制御フレームを導出した前記フレームの前記フレーム検査シーケンスの最下位バイトを含む、Ｃ２２に記載のコンピュータ可読媒体。
[Ｃ２４]
前記サービスフィールドがスクランブラを含む、Ｃ２２に記載のコンピュータ可読媒体。
[Ｃ２５]
前記識別子が２オクテットを含む、Ｃ２２に記載のコンピュータ可読媒体。
[Ｃ２６]
前記フレーム検査シーケンスの前記一部分が１オクテットを含み、前記サービスフィールドが１オクテットを含む、Ｃ２５に記載のコンピュータ可読媒体。
[Ｃ２７]
前記識別子がローカル識別子を含む、Ｃ２２に記載のコンピュータ可読媒体。
[Ｃ２８]
前記識別子がグローバル識別子を含む、Ｃ２２に記載のコンピュータ可読媒体。
【外国語明細書】
2018125852000001.pdf